(57)【要約】【課題】遊技店で遊技媒体と交換可能で買取場で買い取ってもらうことが可能な特殊景品の流通経路における流通状況を適切に管理することを課題とする。【解決手段】特殊景品の流通経路上で、特殊景品の固有ＩＤを読み取り、流通経路上の所在を示す情報を対応付けてセンターサーバ６０に記憶することによって、流通経路上に流通する全ての特殊景品の所在及び流通の履歴を管理するようにした。また、流通経路上の買取場で特殊景品の買取時には、買取額、手数料及び端数手数料をセンターサーバ６０に記録するようにした。また、センターサーバ６０は、特殊景品の個体ごとの所在に係る情報、特殊景品の買取に係る情報及び全ての特殊景品の流通の履歴に係る情報から、特殊景品の流通状況の集計結果と、特殊景品の買取に係る金額の集計結果と、特殊景品の流通状況の監査結果とを出力する機能を有するようにした。【選択図】図１
2015029784.tif 000002
【特許請求の範囲】
【請求項１】
遊技店で遊技媒体と交換可能であり、所定の買取場で買い取りが行われる景品の流通状況を管理する景品流通管理システムであって、
前記遊技店に前記景品を供給する供給元と、前記買取場と、前記買取場で買い取られた景品を集荷して前記供給元に提供する集荷場とを拠点として含んで形成される流通経路上に設けられ、前記景品に付けられた個体識別情報を読み取る識別情報読取手段と、
前記識別情報読取手段で読み取った前記個体識別情報に前記流通経路上における流通状況を対応付ける状況関連付手段と、
前記状況関連付手段により関連付けられた流通状況と前記個体識別情報とに基づいて前記流通経路上で流通する複数の景品を個別管理する管理手段と
を備えたことを特徴とする景品流通管理システム。
【請求項２】
前記流通経路への投入時を除き、前記識別情報読取手段で読み取った前記個体識別情報に対応する情報が、前記管理手段で既に管理されていることをもって前記景品を正規品であると判定する真贋判定手段をさらに備えたことを特徴とする請求項１に記載の景品流通管理システム。
【請求項３】
前記流通経路への投入時を除き、前記識別情報読取手段が前記個体識別情報を読み取った場合に、当該個体識別情報について前記管理手段により管理された流通状況から、前記景品が正規に交換可能なものか否かの判定を行う真贋判定手段をさらに備えたことを特徴とする請求項１に記載の景品流通管理システム。
【請求項４】
前記流通状況は、流通経路に関わる情報であって、
前記真贋判定手段は、前記識別情報読取手段で読み取った前記個体識別情報について前記管理手段により管理された流通状況と、前記状況関連付手段により新たに関連付ける流通状況との間に整合性があることをもって前記景品が正規に交換可能なものか否かの判定を行うことを特徴とする請求項３に記載の景品流通管理システム。
【請求項５】
前記流通状況は、一定期間内の前記個体識別情報ごとの所定期間内に遊技店で遊技媒体と交換された述べの回数である交換回数又は所定期間内に遊技店で遊技媒体と交換された景品の延べの総数に対する前記個体識別情報を有する景品の交換回数の割合を示す交換率であって、
前記真贋判定手段は、前記個体識別情報の前記交換回数又は前記交換率が所定の範囲を超えているか否かで前記景品が正規に交換可能なものか否かの判定を行うことを特徴とする請求項３に記載の景品流通管理システム。
【請求項６】
前記流通状況は、前記個体識別情報ごとの最終流通日又は経過日数が特定可能な情報であって、
前記真贋判定手段は、前記個体識別情報の前記最終流通日が所定日より前か否か又は前記個体識別情報の前記経過日数が所定の数より大きいか否かで前記景品が正規に交換可能なものか否かの判定を行うことを特徴とする請求項３に記載の景品流通管理システム。
【請求項７】
前記買取場において前記景品の買取価格の所定の率或いは所定の額を手数料として徴収し、所定の最低買取金額単位に満たない端数を端数手数料として預かり、前記手数料及び前記端数手数料を記録する手数料等記録手段と、
前記手数料等記録手段で記録した前記手数料及び前記端数手数料の集計及び出力を行う手数料等集計出力手段と
をさらに備えたことを特徴とする請求項１〜６のいずれか一つに記載の景品流通管理システム。
【請求項８】
前記流通経路上の各拠点に所在する前記景品と、前記流通経路上の拠点間を搬送中の前記景品とをそれぞれ集計する状況別集計手段をさらに備え、
前記状況別集計手段は、各拠点に所在する前記景品並びに前記拠点間を搬送中の前記景品について、拠点の種類ごと、個々の拠点ごと若しくは前記景品の種類ごとに集計可能である
ことを特徴とする請求項１〜７のいずれか一つに記載の景品流通管理システム。
【請求項９】
遊技店で遊技媒体と交換可能であり、所定の買取場で買い取りが行われる景品の流通状況を管理する景品流通管理方法であって、
前記遊技店に前記景品を供給する供給元と、前記買取場と、前記買取場で買い取られた景品を集荷して前記供給元に提供する集荷先とを拠点として含んで形成される流通経路上に設けられ、前記景品に付けられた個体識別情報を読み取る識別情報読取ステップと、
前記識別情報読取ステップで読み取った前記個体識別情報に前記流通経路上における流通状況を対応付ける状況関連付ステップと、
前記状況関連付ステップにより関連付けられた流通状況と前記個体識別情報とに基づいて前記流通経路上で流通する複数の景品を個別管理する管理ステップと
を含んだことを特徴とする景品流通管理方法。
【発明の詳細な説明】
【技術分野】
【０００１】
この発明は、遊技店で遊技媒体と交換可能であり、買取場で買い取ってもらうことが可能な特殊景品の流通状況を管理する景品流通管理システム及び景品流通管理方法に関する。
【背景技術】
【０００２】
従来、パチンコ店等の遊技店では、遊技により獲得した遊技媒体と交換可能な景品の一種として、特殊景品と呼ばれる景品が使用されている。この特殊景品は、所定の買取場で買い取って貰うことができる景品である。該特殊景品は、遊技店や買取場において、厳格に真贋判定や在庫管理がなされている。例えば、特許文献１では、特殊景品にＩＣチップを取り付けて、遊技店及び買取場では特殊景品に取り付けられたＩＣチップを読みこむことによって特殊景品の真贋判定を行うとともに、問屋からの入荷、景品交換による払出、買取場で買取済などのステータスを特殊景品のＩＣチップに記憶された識別情報ごとに管理する技術が開示されている。
【先行技術文献】
【特許文献】
【０００３】
【特許文献１】特開２００７−２１５８５１号公報
【特許文献２】特開２００５−０４６２８４号公報
【発明の概要】
【発明が解決しようとする課題】
【０００４】
しかしながら、かかる特許文献１を用いた場合には、遊技店と買取場とを対象とした局所的に特殊景品の在庫管理を行うことはできたが、特殊景品の流通経路の全体の流通状況を把握するためには多大な人的労力が必要になるという問題がある。
【０００５】
このことを具体的に説明すると、特殊景品は、問屋から遊技店に出荷されて、遊技店で遊技客に遊技媒体と交換で払い出され、買取場で遊技客から買い取られ、買取場から集荷場に集められ、さらに集荷場に集められた特殊景品は再び問屋に買い取られて問屋に戻るという一連の流れを１サイクルとして流通している。また、問屋、遊技店、買取場及び集荷場はそれぞれが１つもしくは複数で構成されており、大規模な流通経路のネットワークが形成されている。上記特許文献１では、個々の遊技店と該遊技店に対応する買取場における特殊景品の流通状況は把握できるものの、複数存在する全ての遊技店や買取場の全体の流通量を把握したり、遊技店、買取場以外の問屋や集荷場の特殊景品の流通状況を把握するためには、個々に有する特殊景品の流通状況にかかる情報を集めてそれを集計するという多大な人的労力が必要になってしまうのである。
【０００６】
なお、特殊景品を、デジタルコンテンツとする景品交換及び景品交換に係る技術（例えば、特許文献２に記載される技術）を用いて、流通状況を把握が行えるようにするという方策も考えられる。しかし、特殊景品をデジタルコンテンツに移行することは現実的ではないので、現に用いられている有形の特殊景品の流通状況を効率的に管理する技術の実現が重要な課題となっているのである。
【０００７】
本発明は、上述した従来技術の課題を解消するためのものであって、遊技店で遊技媒体と交換可能であり、買取場で買い取ってもらうことが可能な特殊景品の流通経路における流通状況を適切に管理することのできる景品流通管理システム及び景品流通管理方法を提供することを目的とする。
【課題を解決するための手段】
【０００８】
上述した課題を解決し、目的を達成するため、本発明は、遊技店で遊技媒体と交換可能であり、所定の買取場で買い取りが行われる景品の流通状況を管理する景品流通管理システムであって、前記遊技店に前記景品を供給する供給元と、前記買取場と、前記買取場で買い取られた景品を集荷して前記供給元に提供する集荷先とを拠点として含んで形成される流通経路上に設けられ、前記景品に付けられた個体識別情報を読み取る識別情報読取手段と、前記識別情報読取手段で読み取った前記個体識別情報に前記流通経路上における流通状況を対応付ける状況関連付手段と、前記状況関連付手段により関連付けられた流通状況と前記個体識別情報とに基づいて前記流通経路上で流通する複数の景品を個別管理する管理手段とを備えたことを特徴とする。
【０００９】
また、本発明は、上記発明において、前記流通経路への投入時を除き、前記識別情報読取手段で読み取った前記個体識別情報に対応する情報が、前記管理手段で既に管理されていることをもって前記景品を正規品であると判定する真贋判定手段をさらに備えたことを特徴とする。
【００１０】
また、本発明は、上記発明において、前記流通経路への投入時を除き、前記識別情報読取手段が前記個体識別情報を読み取った場合に、当該個体識別情報について前記管理手段により管理された流通状況から、前記景品が正規に交換可能なものか否かの判定を行う真贋判定手段をさらに備えたことを特徴とする。
【００１１】
また、本発明は、上記発明において、前記流通状況は、流通経路に関わる情報であって、前記真贋判定手段は、前記識別情報読取手段で読み取った前記個体識別情報について前記管理手段により管理された流通状況と、前記状況関連付手段により新たに関連付ける流通状況との間に整合性があることをもって前記景品が正規に交換可能なものか否かの判定を行うことを特徴とする。
【００１２】
また、本発明は、上記発明において、前記流通状況は、一定期間内の前記個体識別情報ごとの所定期間内に遊技店で遊技媒体と交換された述べの回数である交換回数又は所定期間内に遊技店で遊技媒体と交換された景品の延べの総数に対する前記個体識別情報を有する景品の交換回数の割合を示す交換率であって、前記真贋判定手段は、前記個体識別情報の前記交換回数又は前記交換率が所定の範囲を超えているか否かで前記景品が正規に交換可能なものか否かの判定を行うことを特徴とする。
【００１３】
また、本発明は、上記発明において、前記流通状況は、前記個体識別情報ごとの最終流通日又は経過日数が特定可能な情報であって、前記真贋判定手段は、前記個体識別情報の前記最終流通日が所定日より前か否か又は前記個体識別情報の前記経過日数が所定の数より大きいか否かで前記景品が正規に交換可能なものか否かの判定を行うことを特徴とする。  
【００１４】
また、本発明は、上記発明において、前記買取場において前記景品の買取価格の所定の率或いは所定の額を手数料として徴収し、所定の最低買取金額単位に満たない端数を端数手数料として預かり、前記手数料及び前記端数手数料を記録する手数料等記録手段と、前記手数料等記録手段で記録した前記手数料及び前記端数手数料の集計及び出力を行う手数料等集計出力手段とをさらに備えたことを特徴とする。
【００１５】
また、本発明は、上記発明において、前記流通経路上の各拠点に所在する前記景品と、前記流通経路上の拠点間を搬送中の前記景品とをそれぞれ集計する状況別集計手段をさらに備え、前記状況別集計手段は、各拠点に所在する前記景品並びに前記拠点間を搬送中の前記景品について、拠点の種類ごと、個々の拠点ごと若しくは前記景品の種類ごとに集計可能であることを特徴とする。
【００１６】
また、本発明は、遊技店で遊技媒体と交換可能であり、所定の買取場で買い取りが行われる景品の流通状況を管理する景品流通管理方法であって、前記遊技店に前記景品を供給する供給元と、前記買取場と、前記買取場で買い取られた景品を集荷して前記供給元に提供する集荷先とを拠点として含んで形成される流通経路上に設けられ、前記景品に付けられた個体識別情報を読み取る識別情報読取ステップと、前記識別情報読取ステップで読み取った前記個体識別情報に前記流通経路上における流通状況を対応付ける状況関連付ステップと、前記状況関連付ステップにより関連付けられた流通状況と前記個体識別情報とに基づいて前記流通経路上で流通する複数の景品を個別管理する管理ステップとを含んだことを特徴とする。
【発明の効果】
【００１７】
本発明によれば、遊技店に景品を供給する供給元と、景品の買取場と、買取場で買い取られた景品を集荷して前記供給元に提供する集荷場とを拠点として含んで形成される流通経路上で景品に付けられた個体識別情報を読み取り、流通経路上における所在を示す流通状況を対応付け、流通状況と個体識別情報とに基づいて流通経路上で流通する複数の景品を個別管理するよう構成したので、景品の流通経路における流通状況を適切に管理することができる。
【図面の簡単な説明】
【００１８】
【図１】図１は、実施例１に係る景品流通管理システムにおける景品の流通状況管理の概要を説明するための説明図である。
【図２】図２は、実施例１に係る景品流通管理システムのシステム構成を示す図である。
【図３】図３は、図２に示した買取場ＰＣの実施例１に係る内部構成を示すブロック図である。
【図４】図４は、図２に示した買取場ＰＣの実施例１に係るデータ構成について説明するための説明図である。
【図５】図５は、図２に示した買取場ＰＣの実施例１に係る買取処理の処理手順を示すフローチャートである。
【図６】図６は、図２に示した買取場ＰＣの集荷場への景品出荷処理の処理手順を示すフローチャートである。
【図７】図７は、図２に示した集荷場ＰＣの内部構成を示すブロック図である。
【図８】図８は、図２に示した集荷場ＰＣのデータ構成について説明するための説明図である。
【図９】図９は、図２に示した集荷場ＰＣの買取場からの景品入荷処理の処理手順を示すフローチャートである。
【図１０】図１０は、図２に示したセンターサーバの内部構成を示すブロック図である。
【図１１】図１１は、図２に示したセンターサーバのデータ構成について説明するための説明図（１）である。
【図１２】図１２は、図２に示したセンターサーバのデータ構成について説明するための説明図（２）である。
【図１３】図１３は、図２に示したセンターサーバから出力される特殊景品の流通状況の集計内容を説明するための説明図である。
【図１４】図１４は、図２に示したセンターサーバから出力される買取場における特殊景品の買取実績の集計内容を説明するための説明図である。
【図１５】図１５は、実施例２に係る景品流通管理システムにおける特殊景品の流通状況管理の概要を説明するための説明図である。
【図１６】図１６は、実施例２に係る景品流通管理システムのシステム構成を示す図である。
【図１７】図１７は、図１６に示した景品管理装置の実施例２に係る内部構成を示すブロック図である。
【図１８】図１８は、図１６に示した景品管理装置の実施例２に係るデータ構成について説明するための説明図である。
【図１９】図１９は、図１６に示した景品払出機の実施例２に係る内部構成を示すブロック図である。
【図２０】図２０は、図１６に示した景品管理装置の景品払出処理の処理手順を示すフローチャートである。
【図２１】図２１は、図１６に示した景品払出機の景品払出処理の処理手順を示すフローチャートである。
【図２２】図２２は、図１６に示した買取場ＰＣの実施例２に係る内部構成を示すブロック図である。
【図２３】図２３は、図１６に示した買取場ＰＣの実施例２に係る買取処理の処理手順を示すフローチャートである。
【発明を実施するための形態】
【００１９】
以下に、添付図面を参照して、本発明に係る景品流通管理システム及び景品流通管理方法の好適な実施例を詳細に説明する。
【実施例１】
【００２０】
まず、実施例１に係る景品流通管理システムにおける特殊景品の流通状況管理の概要を説明する。図１は、実施例１に係る景品流通管理システムにおける特殊景品の流通状況管理の概要を説明するための説明図である。
【００２１】
問屋では、特殊景品の生産者若しくは集荷場から特殊景品を買い付けて入荷されると、特殊景品ごとの固有ＩＤを読み取って、特殊景品ごとの固有ＩＤ及び問屋の識別情報などをセンターサーバ６０に通知して、センターサーバ６０の特殊景品状況データ６４ａに特殊景品ごとの状況の登録若しくは更新と特殊景品流通履歴データ６４ｃに特殊景品が問屋に入荷したことを示す流通履歴の登録とを行う。
【００２２】
問屋は、遊技店の注文に従って特殊景品を遊技店に出荷する。問屋から遊技店への出荷時には、出荷した特殊景品の種類ごとの数、特殊景品ごとの固有ＩＤ及び出荷先の遊技店の識別情報などをセンターサーバ６０に通知して、センターサーバ６０の特殊景品状況データ６４ａの特殊景品ごとの状況の更新と特殊景品流通履歴データ６４ｃに特殊景品が問屋から遊技店に出荷されたことを示す流通履歴の登録とを行う。遊技店では、問屋から仕入れた特殊景品は、他の一般景品と同様に景品ごとに定められた所定数の遊技媒体との交換で遊技客に払い出される。
【００２３】
遊技客は、所定数の遊技媒体との交換で得た特殊景品を買取場に持ち込んで、所定の手数料を支払って該特殊景品を現金で買い取ってもらう。買取場では、持ち込まれた特殊景品の真贋判定を行う。また、買取場では、特殊景品の価値の所定の手数料率（例えば、３％）の手数料を徴収する。実際には、手数料率分を差し引いた金額で、特殊景品を買い取ることで手数料を徴収する。また、特殊景品の買取により遊技客に支払われる金額は、所定の最低買取金額単位（例えば、１０円）に満たない端数部分は切り捨てられ、切り捨てられた金額は、手数料とは分けて端数手数料として管理される。買取場で遊技客から特殊景品を買い取ると、買い取った特殊景品の種類ごとの数、特殊景品ごとの固有ＩＤ、買取場の識別情報、徴収した手数料及び端数手数料などをセンターサーバ６０に通知して、センターサーバ６０の特殊景品状況データ６４ａの特殊景品ごとの状況の更新と買取データ６４ｂへの登録と特殊景品流通履歴データ６４ｃに特殊景品買取場で買い取られたことを示す流通履歴の登録とを行う。
【００２４】
遊技客から特殊景品を買い取った買取場は、所定のスケジュールに従って集荷場に特殊景品を出荷する。買取場から集荷場への出荷時には、出荷した特殊景品の種類ごとの数、特殊景品ごとの固有ＩＤ及び出荷先の集荷場の識別情報などをセンターサーバ６０に通知して、センターサーバ６０の特殊景品状況データ６４ａの特殊景品ごとの状況の更新と特殊景品流通履歴データ６４ｃに特殊景品が買取場から集荷場へ出荷されたことを示す流通履歴の登録とを行う。また、集荷場では、買取場からの特殊景品を入荷すると、特殊景品の真贋判定を行う。また、真贋判定で正規品であると判定された特殊景品については、入荷した特殊景品の種類ごとの数、特殊景品ごとの固有ＩＤ及び買取場の識別情報などをセンターサーバ６０に通知して、センターサーバ６０の特殊景品状況データ６４ａの特殊景品ごとの状況の更新と特殊景品流通履歴データ６４ｃに特殊景品が集荷場に入荷したことを示す流通履歴の登録とを行う。
【００２５】
また、集荷場に集まった特殊景品は、問屋からの注文に従って再び問屋に戻る。集荷場から問屋への出荷時には、出荷した特殊景品の種類ごとの数、特殊景品ごとの固有ＩＤ及び出荷先の問屋の識別情報などをセンターサーバ６０に通知して、センターサーバ６０の特殊景品状況データ６４ａの特殊景品ごとの状況の更新と特殊景品流通履歴データ６４ｃに特殊景品が集荷場から問屋に出荷されたことを示す流通履歴の登録とを行う。
【００２６】
また、センターサーバ６０は、このようにして特殊景品に係る情報が集約された特殊景品状況データ６４ａ及び買取データ６４ｂを用いて特殊景品の流通状況や買取場における買い取りに関する集計結果を提供する機能を有する。また、センターサーバ６０は、特殊景品状況データ６４ａ、買取データ６４ｂ及び特殊景品流通履歴データ６４ｃを用いて特殊景品の流通に関する各種監査を行って、適切な運用がされていない可能性があると判定した場合にはその内容を含めたアラートの報知を行う機能を有する。このため、問屋などの関連団体のＰＣから、回線網を経由して、景品の流通状況、所定期間の手数料徴収実績及び所定期間の端数手数料預かり実績などの集計結果と、景品の流通実績に基づいた各種監査とを参照することが可能である。
【００２７】
このように、特殊景品の流通経路上で、特殊景品の固有ＩＤを読み取り、流通経路上の所在を示す情報を対応付けてセンターサーバ６０に記憶することによって、流通経路上に流通する全ての特殊景品の所在及び流通の履歴を管理するようにした。また、流通経路上の買取場で特殊景品の買取時には、買取額、手数料及び端数手数料をセンターサーバ６０に記録するようにした。また、センターサーバ６０は、特殊景品の個体ごとの所在に係る情報、特殊景品の買取に係る情報及び全ての特殊景品の流通の履歴に係る情報から、特殊景品の流通状況の集計結果と、特殊景品の買取に係る金額の集計結果と、特殊景品の流通状況の監査結果とを出力する機能を有するようにした。これらによって、特殊景品の流通経路における流通状況を適切に管理することができる。
【００２８】
次に、実施例１に係る景品流通管理システムのシステム構成を説明する。図２は、実施例１に係る景品流通管理システムのシステム構成を示す図である。
【００２９】
特殊景品の流通経路は問屋、遊技店、買取場及び集荷場である。問屋には、ＩＣタグリーダ１３の接続された問屋ＰＣ１０があり、買取場にはＩＣタグリーダ３３の接続された買取場ＰＣ３０と入出金ターミナル４０があり、集荷場にはＩＣタグリーダ５３の接続された集荷場ＰＣ５０がある。問屋ＰＣ１０、買取場ＰＣ３０及び集荷場ＰＣ５０は回線網を通してセンターサーバ６０に接続している。センターサーバ６０は問屋、遊技店、買取場及び集荷場に流通する特殊景品の流通状況を記録する特殊景品状況データ６４ａと、買取場における特殊景品の買取実績を記録する買取データ６４ｂと、特殊景品の流通の履歴である特殊景品流通履歴データ６４ｃとを有する。また、買取場の入出金ターミナル４０と買取場ＰＣ３０はＬＡＮ等の通信経路を経由して接続されており、データの送受信を行うことができる。また、図２には便宜上、問屋、遊技店、買取場及び集荷場を１つずつ図示しているが、実際には問屋、遊技店、買取場及び集荷場は、いずれも１つ若しくは複数存在している。
【００３０】
問屋ＰＣ１０は、新規生産された特殊景品及び集荷場から買い付けた特殊景品を入荷したならば、入荷したそれぞれの特殊景品に付けられているＩＣタグから特殊景品の種類や固有ＩＤを読み込んで、読み込んだ特殊景品の種類や固有ＩＤに、問屋の識別情報や「問屋へ入荷」を示すデータなどを付け加えて、センターサーバ６０に通知する。これを受けたセンターサーバ６０は、受け付けたデータの特殊景品ごとに、該特殊景品の固有ＩＤと一致するデータが特殊景品状況データ６４ａに存在する場合には固有ＩＤの一致したデータを受け付けた特殊景品のデータで更新し、該特殊景品の固有ＩＤと一致するデータが特殊景品状況データ６４ａに存在しない場合には、特殊景品状況データ６４ａに受け付けた特殊景品のデータを追加する。また、センターサーバ６０は、受け付けた通知の内容を当該特殊景品の問屋へ入荷したという流通の履歴として、特殊景品流通履歴データ６４ｃに追加登録する。
【００３１】
また、問屋ＰＣ１０は、遊技店への特殊景品の出荷時に、接続されているＩＣタグリーダ１３で出荷する特殊景品の固有ＩＤを読み込んで、読み込んだ固有ＩＤに「問屋から出荷」を示すデータなどを付け加えて、センターサーバ６０に通知する。これを受けたセンターサーバ６０は、受付けたデータの特殊景品ごとに、受け付けたデータに含まれる特殊景品の固有ＩＤと一致する特殊景品状況データ６４ａ上のデータの状態を指定された「問屋から出荷済」を示す値に更新する。また、センターサーバ６０は、受け付けた通知の内容を当該特殊景品の問屋から出荷したという流通の履歴として、特殊景品流通履歴データ６４ｃに追加登録する。
【００３２】
買取場ＰＣ３０は、遊技客により特殊景品が持ち込まれると、接続されているＩＣタグリーダ３３で持ち込まれた特殊景品の固有ＩＤを読み込んで、読みこまれた固有ＩＤを基にして特殊景品の真贋判定を行う。持ち込まれた特殊景品の真贋判定で正規の特殊景品であることの確認が行われたならば、入出金ターミナル４０で持ち込まれた特殊景品の買取処理を行う。
【００３３】
買取場ＰＣ３０における特殊景品の真贋判定について詳しく説明する。買取場ＰＣ３０は、予めセンターサーバ６０から問屋から出荷済の特殊景品の一覧と、所定の基準で抽出した不正な流通が行われている可能性のある特殊景品であることを示す要注意特殊景品の一覧を入手する。買取場ＰＣ３０は、ＩＣタグリーダ３３で読み込んだ特殊景品の固有ＩＤが、問屋から出荷済の特殊景品の一覧に存在しない場合や、要注意特殊景品の一覧に含まれている場合には、正規の特殊景品でなかったり、不正な流通を行っている可能性があることから、その旨のメッセージを報知する。
【００３４】
入出金ターミナル４０の特殊景品の買取処理では、持ち込まれた特殊景品の価値から所定の手数料率を乗じることによって手数料額を算出し、特殊景品の価値から手数料額を差し引いた金額の所定の最低買取金額単位（例えば、１０円）に満たない端数部分である端数手数料額を算出し、特殊景品の価値から手数料額及び端数手数料額を差し引くことによって買取額を算出する。
【００３５】
買取場ＰＣ３０は、買取処理が終了したならば、買取済の景品データをセンターサーバ６０に通知する。買取済の景品データには、買取場の識別情報、買取額、徴収した手数料額、預かった端数手数料額及び持ち込まれた景品の固有ＩＤなどが含まれる。これを受け付けたセンターサーバ６０は、受け付けたデータの特殊景品ごとに、受け付けたデータに含まれる特殊景品の固有ＩＤと一致する特殊景品状況データ６４ａ上のデータの状態を「買取場で買取」を示す値に更新する。また、センターサーバ６０は、買取場の識別情報、買取額、徴収した手数料額及び預かった端数手数料額などのデータは買取データ６４ｂに蓄積する。また、センターサーバ６０は、受け付けた通知の内容を当該特殊景品の買取場で買い取ったという流通の履歴として、特殊景品流通履歴データ６４ｃに追加登録する。
【００３６】
また、買取場ＰＣ３０は、集荷場への特殊景品の出荷時に、遊技客からの買取時に読み取って記憶した特殊景品の固有ＩＤに「買取場から出荷」を示すデータなどを付け加えて、センターサーバ６０に通知する。これを受けたセンターサーバ６０は、受け付けたデータの特殊景品ごとに、受け付けたデータに含まれる特殊景品の固有ＩＤと一致する特殊景品状況データ６４ａ上のデータの状態を指定された「買取場から出荷」を示す値に更新する。また、センターサーバ６０は、受け付けた通知の内容を当該特殊景品の買取場から出荷したという流通の履歴として、特殊景品流通履歴データ６４ｃに追加登録する。
【００３７】
集荷場ＰＣ５０は、買取場から買い取った特殊景品が入荷したならば、入荷したそれぞれの特殊景品に付けられているＩＣタグから特殊景品の固有ＩＤを読み込んで、読みこまれた固有ＩＤをセンターサーバ６０の特殊景品状況データ６４ａに記憶されているデータと比較して、買取上から出荷された特殊景品であることをもって真贋判定を行う。
【００３８】
そして、持ち込まれた特殊景品の真贋判定で正規の特殊景品であることの確認が行われたならば、読み込んだ特殊景品の固有ＩＤに、集荷場の識別情報や「集荷場へ入荷」の状態を示すデータなどを付け加えて、センターサーバ６０に通知する。これを受けたセンターサーバ６０は、受け付けたデータの特殊景品ごとに、受け付けたデータに含まれる特殊景品の固有ＩＤと一致する特殊景品状況データ６４ａ上のデータの状態を指定された「集荷場へ入荷」を示す値に更新する。また、センターサーバ６０は、受け付けた通知の内容を当該特殊景品の集荷場へ入荷したという流通の履歴として、特殊景品流通履歴データ６４ｃに追加登録する。
【００３９】
また、集荷場ＰＣ５０は、問屋への特殊景品の出荷時に、買取場からの入荷時に読み取って記憶した特殊景品の固有ＩＤに「集荷場から出荷」の状態を示すデータなどを付け加えて、センターサーバ６０に通知する。これを受けたセンターサーバ６０は、受け付けたデータの特殊景品ごとに、受け付けたデータに含まれる特殊景品の固有ＩＤと一致する特殊景品状況データ６４ａ上のデータの状態を指定された「集荷場から出荷」を示す値に更新する。また、センターサーバ６０は、受け付けた通知の内容を当該特殊景品の集荷場から出荷したという流通の履歴として、特殊景品流通履歴データ６４ｃに追加登録する。
【００４０】
本実施例１では、買取場から集荷場への特殊景品の出荷時及び集荷場から問屋への特殊景品の出荷時に、買取場ＰＣ３０で遊技客からの買取時に読み取って記憶した特殊景品の固有ＩＤ若しくは集荷場ＰＣ５０で買取場からの入荷時に読み取って記憶した特殊景品の固有ＩＤを利用してセンターサーバ６０に出荷する特殊景品の固有ＩＤを通知したが、本発明はこれに限定しない。出荷する全ての特殊景品の固有ＩＤを、ＩＣタグリーダ３３若しくはＩＣタグリーダ５３で読み取って、読み取った特殊景品の固有ＩＤをセンターサーバ６０に通知してもよい。
【００４１】
次に、図２に示した買取場ＰＣ３０の実施例１に係る内部構成を説明する。図３は、買取場ＰＣ３０の実施例１に係る内部構成を示すブロック図である。同図に示すように、買取場ＰＣ３０は、入力部３１、表示部３２、ＩＣタグリーダ３３及び入出金ターミナル４０と接続される。入力部３１は、キーボードやマウス等であり、表示部３２は、液晶パネルやディスプレイ装置等である。ＩＣタグリーダ３３は、ＩＣタグに記憶されている情報を読み取る装置である。
【００４２】
また、買取場ＰＣ３０は、通信部３４と、記憶部３５と、制御部３６とを有する。通信部３４は、回線網を通してセンターサーバ６０とデータ通信するためのインタフェース部である。
【００４３】
記憶部３５は、ハードディスク装置や不揮発性メモリ等の記憶デバイスであり、問屋出荷データ３５ａ、買取処理中景品データ３５ｂ、買取済景品データ３５ｃ、要注意景品データ３５ｄ及び手数料パラメータ３５ｅを有する。
【００４４】
問屋出荷データ３５ａは、状態が「問屋から出荷」である全ての特殊景品の固有ＩＤの情報を有しており、センターサーバ６０から所定のタイミングで入手したデータである。買取処理中景品データ３５ｂは、遊技客が持ち込んだ特殊景品のＩＣタグをＩＣタグリーダ３３で読み込んだ時点で記憶され、買取処理が終了するとクリアされるデータであり、遊技客が持ち込んだ特殊景品の固有ＩＤなどの情報を有している。買取済景品データ３５ｃは、買取処理の履歴を記録したデータであり、買取処理終了時に追加登録される。買取済景品データ３５ｃには、買取処理の買取額、手数料額、端数手数料額及び特殊景品の固有ＩＤなどの情報を含む。
【００４５】
要注意景品データ３５ｄは、センターサーバ６０から所定のタイミングで入手したデータであり、センターサーバ６０が所定の条件で抽出した、不正な流通が行われている可能性のある特殊景品であることを示す要注意特殊景品の一覧である。この一覧は、具体的には、所定期間内に買取場で買い取られた頻度が所定の基準を超えている景品と、問屋から出荷後所定期間内に買取場で交換されなかった景品とを含む一覧である。手数料パラメータ３５ｅは、買取場で特殊景品を買い取る場合の手数料率及び特殊景品を持ち込んだ遊技客に支払う買取金額の単位金額を有する。また、手数料パラメータ３５ｅは、センターサーバ６０から配信されたデータを記憶したものであり、買取場ＰＣ３０での変更はできない。
【００４６】
制御部３６は、買取場ＰＣ３０の全体を制御する制御部であり、配布データ取得部３６ａ、真贋判定部３６ｂ、買取処理部３６ｃ、買取データ送信部３６ｄ及び出荷データ送信部３６ｅを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００４７】
配布データ取得部３６ａは、所定のタイミングでセンターサーバ６０から配布される、問屋から出荷済で買取場での買取がまだ行われていない特殊景品の一覧データを受け付けて、問屋出荷データ３５ａに書き込む。また、配布データ取得部３６ａは、所定のタイミングでセンターサーバ６０から配布される、不正な流通が行われている可能性のある特殊景品であることを示す要注意特殊景品の一覧を受け付けて、要注意景品データ３５ｄに書き込む。また、配布データ取得部３６ａは、所定のタイミングでセンターサーバ６０から配布される、手数料パラメータを受け付けて手数料パラメータ３５ｅに記憶するとともに、受け付けた手数料パラメータを入出金ターミナル４０に送信する。
【００４８】
真贋判定部３６ｂは、ＩＣタグリーダ３３で読み取った特殊景品の固有ＩＤを基にして特殊景品の真贋判定を行う。具体的には、ＩＣタグリーダ３３で読み取った特殊景品の固有ＩＤが、問屋出荷データ３５ａの問屋から出荷済を示す問屋出荷データ３５ａに含まれていない場合、若しくは問屋出荷データ３５ａに含まれているが買取処理中景品データ３５ｂ若しくは買取済景品データ３５ｃのいずれかにも含まれている場合には、正規な特殊景品ではないと判定する。また、ＩＣタグリーダ３３で読み取った特殊景品の固有ＩＤが、要注意景品データ３５ｄに含まれている場合には、正規な特殊景品ではないと判定する。また、ＩＣタグリーダ３３で特殊景品の固有ＩＤの読み取りができない場合にも、正規な特殊景品ではないと判定する。また、これらのいずれでもない場合は、該特殊景品は正規品でであると判定し、読み取った特殊景品の情報を買取処理中景品データ３５ｂに書き込む。
【００４９】
買取処理部３６ｃは、買取処理を行った入出金ターミナル４０から入手した買取額、手数料額及び端数手数料額と、買取処理中景品データ３５ｂの持ち込まれた特殊景品のデータを用いて、買取済景品データ３５ｃに買取処理の履歴のデータを追加する。また、買取処理部３６ｃは、買取済景品データ３５ｃへの買取処理の履歴のデータの追加が終了すると、買取処理中景品データ３５ｂのデータをクリアする。
【００５０】
買取データ送信部３６ｄは、買取済景品データ３５ｃのデータの中で、ステータスがセンターサーバ６０に未送信のレコードの情報を基にして、買取処理ごとの買取額、手数料額、端数手数料額及び買い取った特殊景品の固有ＩＤ等の情報をセンターサーバ６０に送信して、送信した買取済景品データ３５ｃのレコードのステータスをセンターサーバ６０に送信済に更新する。
【００５１】
出荷データ送信部３６ｅは、買取済景品データ３５ｃから集荷場への出荷対象の特殊景品を所定のルールに従って抽出し、抽出された特殊景品の固有ＩＤをセンターサーバ６０に送信し、送信した買取済景品データ３５ｃのレコードのステータスを集荷場へ出荷済に更新する。
【００５２】
また、買取データ送信部３６ｄ及び出荷データ送信部３６ｅは、センターサーバ６０にデータ送信しようとした時に、センターサーバ６０との通信が行えない状態の場合には、センターサーバ６０との通信の普及時若しくは次にセンターサーバ６０への送信を行う時に、通信が行えない状態であったことによって送信していなかったデータを送信することを可能とする。
【００５３】
次に、図２に示した買取場ＰＣ３０の実施例１に係るデータ構成について説明する。図４は、買取場ＰＣ３０の実施例１に係るデータ構成について説明するための説明図である。
【００５４】
問屋出荷データ３５ａは、問屋からの出荷された出荷日付、出荷時刻、出荷された特殊景品の景品種類、当該特殊景品の景品単価、当該特殊景品の固有ＩＤ、出荷元の問屋の識別名及び出荷先の遊技店の識別名を１レコードの保有項目とする、ゼロ、１又は複数のレコードで構成されるデータである。図４の問屋出荷データ３５ａの例は、日付「２０１３／４／１０」の時刻「１０：００」に、景品種類が「Ａ」で、景品単価が「５，０００」円の、固有ＩＤ「Ａ１２３４５」を有する特殊景品が「問屋Ａ」から「遊技店Ａ」に出荷されたことを示すレコードが含まれていることを示している。
【００５５】
買取処理中景品データ３５ｂは、買取場に遊技客が持ち込んだ特殊景品の景品種類、該景品の景品単価、該景品の固有ＩＤ及び処理区分を１レコードの保有項目とするデータである。処理区分は特殊景品の固有ＩＤの獲得方法を示す情報であり、固有ＩＤをＩＣタグリーダ３３で読み込んだ場合には「１」、固有ＩＤをキーボード等の入力装置でマニュアル入力した場合には「９」を設定する。図４の買取処理中景品データ３５ｂの例は、買取場に遊技客が持ち込んだ特殊景品には、景品種類が「Ａ」で景品単価が「５，０００」円の、固有ＩＤが「Ａ１２３４５」の特殊景品が含まれていて、処理区分が「１」であることから、該固有ＩＤはＩＣタグリーダ３３で読み込まれたことを示している。
【００５６】
買取済景品データ３５ｃは、買取場に持ち込まれた特殊景品の買取処理に係るデータであり、特殊景品の買取日付、買取時刻、買い取った特殊景品の集荷場への出荷した日付、出荷した時刻、遊技客を間にはさむ入荷元の遊技店の識別名、出荷先の集荷場の識別名、ステータス、買取額、手数料額、端数手数料額、当該買取処理で買い取った全ての特殊景品の景品種類と固有ＩＤ及び処理区分を１レコードの保有項目とする、ゼロ、１又は複数のレコードで構成されるデータである。ステータスはコード化されており、買い取ったことをセンターサーバ６０に未送信を示す「０」と、買い取ったことをセンターサーバ６０に送信済であることを示す「１」と、既に集荷場へ出荷済であることを示す「２」とがある。
【００５７】
図４の買取済景品データ３５ｃの例は、買取日付が「２０１３／４／１１」で買取時刻が「１７：３０」で、遊技店識別名が「遊技店Ａ」で、ステータスが買い取ったことをセンターサーバ６０に未送信であることを示す「０」で、買取額が「５０，９２０」円で、手数料が「１，５７５」円で、端数手数料額が「５」円で、買い取った景品に景品種類が「Ａ」で固有ＩＤが「Ａ１２３４５」の景品と、景品種類が「Ａ」で固有ＩＤが「Ａ１２３４６」の景品が含まれていて、いずれの特殊景品の処理区分も「１」であり固有ＩＤがＩＣタグリーダ３３でよみ取ったことを示すレコードを有していることを表している。また、この例は、価値が５２，５００円の特殊景品を、手数料率を３％として、買取時の支払最低金額を１０円とした場合であり、５２，５００円×３％で算出した１，５７５円が手数料であり、５２，５００円−１，５７５円で算出される額（５０，９２５円）に対して、支払最低金額を１０円であることから、端数の５円を端数手数料として、該端数手数料の５円を差し引いた額を、買取額（５０，９２０円）とした例である。
【００５８】
要注意景品データ３５ｄは、特殊景品の景品種類、特殊景品の固有ＩＤ及び理由コードをレコードの保有項目とするデータである。理由コードは、当該固有ＩＤで特定される特殊景品が要注意景品データ３５ｄに含まれている理由であり、「１」は問屋出荷後の所定の期間に買取場での買取が行われなかったことを意味し、「２」は買取場における買取頻度が所定の頻度を超えていることを意味している。図４の要注意景品データ３５ｄの例は、景品種類が「Ａ」の、固有ＩＤが「Ａ５４３２１」である特殊景品は理由コードが「１」であり、問屋出荷後の所定の期間に買取場での買取が行われなかったことを示すレコードを含んでいることを表している。
【００５９】
手数料パラメータ３５ｅは、特殊景品を買い取る場合に徴収する手数料の景品価値に対する割合である手数料率と、特殊景品の買取時に支払う買取金額の単位金額である買取単位金額を有する。図４の手数料パラメータ３５ｅの例は、手数料率が「３％」で、買取単位金額が「１０円」で有ることを示している。
【００６０】
次に、図２に示した買取場ＰＣ３０の実施例１に係る買取処理の処理手順を説明する。図５は、買取場ＰＣ３０の実施例１に係る買取処理の処理手順を示すフローチャートである。
【００６１】
ＩＣタグリーダ３３で、特殊景品に付けられたＩＣタグの読取が行われた場合（ステップＳ１０１；Ｙｅｓ）には、真贋判定部３６ｂは、ＩＣタグから読み取った内容を用いて特殊景品の真贋判定処理を行う（ステップＳ１０２）。具体的な真贋鑑定の処理内容は、図３の真贋判定部３６ｂで説明した通りである。
【００６２】
ステップＳ１０２の真贋判定の結果が、正規品であると判定された場合（ステップＳ１０３；Ｙｅｓ）には、真贋判定部３６ｂは、読み取った固有ＩＤなどの情報を買取処理中景品データ３５ｂに登録して（ステップＳ１０４）、処理を終了する。ステップＳ１０２の真贋判定の結果が、正規品ではないと判定された場合（ステップＳ１０３；Ｎｏ）には、真贋判定部３６ｂは、正規品ではないと判定された理由などを含めたエラーメッセージ及び当該特殊景品を買取対象とするか否かの判定を促すメッセージを表示部３２に表示する（ステップＳ１０５）。また、真贋判定部３６ｂは、当該景品に問題はなく景品交換の対象とする旨の操作を受け付けた場合（ステップＳ１０６；Ｙｅｓ）には、ステップＳ１０４に移行する。また、当該景品に問題があり景品交換の対象としない旨の操作を受け付けた場合（ステップＳ１０６；Ｎｏ）には、処理を終了する。
【００６３】
ＩＣタグリーダ３３による特殊景品に付けられたＩＣタグの読取が行われたわけではなく（ステップＳ１０１；Ｎｏ）、入出金ターミナル４０による買取操作が終了したならば（ステップＳ１０７；Ｙｅｓ）、買取処理部３６ｃは、当該買取処理に係る情報を買取済景品データ３５ｃに追加登録して（ステップＳ１０８）、処理を終了する。具体的には、買取処理部３６ｃは、入出金ターミナル４０から入手した買取額、手数料額及び端数手数料額と、買取処理中景品データ３５ｂに登録された遊技客の持ち込んだ特殊景品に係るデータとから、買取済景品データ３５ｃに、当該特殊景品の買取処理に係る情報を追加登録する。また、買取処理部３６ｃは、買取済景品データ３５ｃに追加登録したデータのステータスにセンターサーバ６０に未送信であることを意味する「０」を設定する。また、買取処理部３６ｃは、買取処理中景品データ３５ｂに書き込まれていた遊技客の持ち込んだ特殊景品に係る情報をクリアする。
【００６４】
入出金ターミナル４０による買取操作の終了ではなく（ステップＳ１０７；Ｎｏ）、買取済景品データ３５ｃをセンターサーバ６０に送信する計画された時刻となった場合（ステップＳ１０９；Ｙｅｓ）には、買取データ送信部３６ｄは、買取済景品データ３５ｃの中でステータスがセンターサーバ６０に未送信であることを示す「０」である全てのレコードを、センターサーバ６０に送信する（ステップＳ１１０）。また、買取データ送信部３６ｄは、センターサーバ６０に送信した買取済景品データ３５ｃのレコードのステータスを、センターサーバ６０に送信済であることを示す「１」に変更して（ステップＳ１１１）、処理を終了する。また、買取済景品データ３５ｃをセンターサーバ６０に送付する計画された時刻ではない場合（ステップＳ１０９；Ｎｏ）にも、処理を終了する。
【００６５】
上述のように、本実施例１では、買取済景品データ３５ｃのステータスがセンターサーバ６０に未送信を示す「０」である全てのレコードに含まれる特殊景品の固有ＩＤを、計画された所定のタイミングでまとめて送るものとしたが、本発明はこれに限定されるものではない。入出金ターミナル４０における買取操作終了時に実施する買取済の特殊景品データの買取済景品データ３５ｃへの登録処理に引き続いて、センターサーバ６０に買取済景品データ３５ｃへ追加登録したレコードに含まれる特殊景品の固有ＩＤを逐次送信するものとしてもよい。
【００６６】
次に、図２に示した買取場ＰＣ３０の集荷場への景品出荷処理の処理手順を説明する。図６は、買取場ＰＣ３０の集荷場への景品出荷処理の処理手順を示すフローチャートである。
【００６７】
買取場から集荷場への特殊景品の出荷の指示操作が行われなかった場合（ステップＳ２０１；Ｎｏ）には、処理を終了する。買取場から集荷場への特殊景品の出荷の指示操作が行われた場合（ステップＳ２０１；Ｙｅｓ）には、出荷データ送信部３６ｅは、買取済景品データ３５ｃのステータスがセンターサーバ６０に送信済を示す「１」である全てのレコードに含まれる全ての特殊景品の固有ＩＤを含む、センターサーバ６０に送信する集荷場向けに出荷する特殊景品の一覧データを生成する（ステップＳ２０２）。
【００６８】
また、出荷データ送信部３６ｅは、ステップＳ２０２で生成したデータをセンターサーバ６０に送信する（ステップＳ２０３）。また、出荷データ送信部３６ｅは、買取済景品データ３５ｃのステータスがセンターサーバ６０に送信済を示す「１」だったレコードのステータスを、「集荷場へ出荷済」を示す「２」に更新して（ステップＳ２０４）、処理を終了する。
【００６９】
次に、図２に示した集荷場ＰＣ５０の内部構成を説明する。図７は、集荷場ＰＣ５０の内部構成を示すブロック図である。同図に示すように、集荷場ＰＣ５０は、入力部５１、表示部５２及びＩＣタグリーダ５３と接続される。入力部５１は、キーボードやマウス等であり、表示部５２は、液晶パネルやディスプレイ装置等である。ＩＣタグリーダ５３は、ＩＣタグに記憶されている情報を読み取る装置である。
【００７０】
また、集荷場ＰＣ５０は、通信部５４と、記憶部５５と、制御部５６とを有する。通信部５４は、回線網を通してセンターサーバ６０とデータ通信するためのインタフェース部である。
【００７１】
記憶部５５は、ハードディスク装置や不揮発性メモリ等の記憶デバイスであり、買取場出荷データ５５ａ及び集荷景品データ５５ｂを有する。買取場出荷データ５５ａは、状態が「買取場から出荷済」である全ての特殊景品の固有ＩＤの情報を有しており、センターサーバ６０から所定のタイミングで入手したデータである。集荷景品データ５５ｂは、買取場から集荷場に入荷した特殊景品の固有ＩＤを記憶したデータである。
【００７２】
制御部５６は、集荷場ＰＣ５０の全体を制御する制御部であり、買取場出荷データ取得部５６ａ、真贋判定部５６ｂ、集荷データ送信部５６ｃ及び出荷データ送信部５６ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００７３】
買取場出荷データ取得部５６ａは、所定のタイミングでセンターサーバ６０から配布された、買取場から出荷済で集荷場にまだ入荷されていない特殊景品の一覧データを受け付けて、買取場出荷データ５５ａに書き込む。
【００７４】
真贋判定部５６ｂは、ＩＣタグリーダ５３で読み取った特殊景品の固有ＩＤが、買取場出荷データ５５ａに記憶されている買取場から出荷済で集荷場に未入荷の特殊景品の一覧に含まれていて、集荷景品データ５５ｂに含まれていないことによって、正規な特殊景品であることの判定を行う。正規品であると判定した場合には、読み取った特殊景品の情報を集荷景品データ５５ｂに書き込む。また、読み取った特殊景品の情報を集荷景品データ５５ｂに書き込む際には、ステータスはセンターサーバ６０に未送信で有ることを示す「０」として書き込む。
【００７５】
集荷データ送信部５６ｃは、集荷景品データ５５ｂのデータの中で、ステータスがセンターサーバ６０に未送信で有ることを示す「０」であるレコードの情報を基にして、集荷された特殊景品の固有ＩＤなどの情報をセンターサーバ６０に送信して、集荷景品データ５５ｂの送信対象となったレコードのステータスを、センターサーバ６０に送信済で有ることを示す「１」に更新する。
【００７６】
出荷データ送信部５６ｄは、集荷景品データ５５ｂから問屋への出荷対象の特殊景品を所定のルールに従って抽出し、抽出された特殊景品の固有ＩＤをセンターサーバ６０に送信し、ステータスを問屋へ出荷済で有ることを示す「２」に更新する。
【００７７】
また、集荷データ送信部５６ｃ及び出荷データ送信部５６ｄは、センターサーバ６０にデータ送信しようとした時に、センターサーバ６０との通信が行えない状態の場合には、センターサーバ６０との通信の普及時若しくは次にセンターサーバ６０への送信を行う時に、通信が行えない状態であったことによって送信していなかったデータを送信することを可能とする。
【００７８】
次に、図２に示した集荷場ＰＣ５０のデータ構成について説明する。図８は、集荷場ＰＣ５０のデータ構成について説明するための説明図である。
【００７９】
買取場出荷データ５５ａは、買取場から集荷場に出荷された出荷日付、出荷時刻、出荷された特殊景品の景品種類、当該特殊景品の景品単価、当該特殊景品の固有ＩＤ、出荷元である買取場の識別名及び出荷先である集荷場の識別名を１レコードの保有項目とする、ゼロ、１又は複数のレコードで構成されるデータである。図８の買取場出荷データ５５ａの例は、日付「２０１３／４／１２」の時刻「１０：００」に、景品種類が「Ａ」で景品単価が「５，０００」円の、固有ＩＤ「Ａ１２３４５」を有する特殊景品が「買取場Ａ」から「集荷場Ａ」に出荷されたことを示すレコードが含まれていることを示している。
【００８０】
集荷景品データ５５ｂは、集荷場に集荷された特殊景品に係るデータであり、集荷場に入荷した日付、入荷時刻、問屋へ出荷した日付、出荷時刻、買取場の識別名、出荷先の問屋の識別名、ステータス、特殊景品の景品種類と固有ＩＤを１レコードの保有項目とする、ゼロ、１又は複数のレコードで構成されるデータである。ステータスはコード化されており、集荷場に入荷したことをセンターサーバ６０に未送信を示す「０」と、集荷場に入荷したことをセンターサーバ６０に送信済であることを示す「１」と、既に問屋へ出荷済であることを示す「２」とがある。
【００８１】
図８の集荷景品データ５５ｂの例は、入荷日付が「２０１３／４／１２」で、入荷時刻が「１２：００」で、出荷日付が「２０１３／４／１４」で、出荷時刻が「１０：００」で、入荷元の買取場識別名が「買取場Ａ」で、出荷先の問屋の識別名が「問屋Ａ」で、ステータスが問屋へ出荷済であることを示す「２」で、景品種類が「Ａ」で、固有ＩＤが「Ａ１２３４５」であることを示すレコードが含まれていることを示している。
【００８２】
次に、図２に示した集荷場ＰＣ５０の買取場からの景品入荷処理の処理手順を説明する。図９は、集荷場ＰＣ５０の買取場からの景品入荷処理の処理手順を示すフローチャートである。
【００８３】
ＩＣタグリーダ５３で、特殊景品に付けられたＩＣタグの読取が行われた場合（ステップＳ３０１；Ｙｅｓ）には、真贋判定部５６ｂは、ＩＣタグから読み取った内容を用いて特殊景品の真贋判定処理を行う（ステップＳ３０２）。具体的には、真贋判定部５６ｂは、ＩＣタグから特殊景品の固有ＩＤを読み取って、該固有ＩＤが事前に入手した買取場出荷データ５５ａに含まれていて、集荷景品データ５５ｂに含まれていないならば、当該特殊景品を正規品と判定する。また、該固有ＩＤが事前に入手した買取場出荷データ５５ａに含まれていない場合や、該固有ＩＤが事前に入手した買取場出荷データ５５ａに含まれていても、集荷景品データ５５ｂに含まれている場合には正規品ではないと判定する。
【００８４】
ステップＳ３０２の真贋判定の結果が、正規品であると判定された場合（ステップＳ３０３；Ｙｅｓ）には、読み取った固有ＩＤなどの情報を集荷景品データ５５ｂに登録して（ステップＳ３０４）、処理を終了する。ステップＳ３０２の真贋判定の結果が、正規品ではない判定された場合（ステップＳ３０３；Ｎｏ）には、正規品ではないと判定された理由などを含めたエラーメッセージ及び当該特殊景品を買取対象とするか否かの判定を促すメッセージを表示部５２に表示する（ステップＳ３０５）。また、真贋判定部５６ｂは、当該景品に問題はないとする旨の操作を受け付けた場合（ステップＳ３０６；Ｙｅｓ）には、ステップＳ３０４に移行する。また、当該景品に問題があるとする旨の操作を受け付けた場合（ステップＳ３０６；Ｎｏ）には、処理を終了する。
【００８５】
ＩＣタグリーダ５３による特殊景品に付けられたＩＣタグの読取が行われたわけではなく（ステップＳ３０１；Ｎｏ）、集荷景品データ５５ｂをセンターサーバ６０に送付する計画された時刻となった場合（ステップＳ３０７；Ｙｅｓ）には、集荷データ送信部５６ｃは、集荷景品データ５５ｂの中でステータスがセンターサーバ６０に未送信であることを示す「０」である全てのレコードを、センターサーバ６０に送信する（ステップＳ３０８）。また、集荷データ送信部５６ｃは、センターサーバ６０に送信した集荷景品データ５５ｂのレコードのステータスを、センターサーバ６０に送信済であることを示す「１」に変更して（ステップＳ３０９）、処理を終了する。また、集荷景品データ５５ｂをセンターサーバ６０に送付する計画された時刻ではない場合（ステップＳ３０７；Ｎｏ）には、処理を終了する。
【００８６】
上述のように、本実施例１では、集荷景品データ５５ｂのステータスがセンターサーバ６０に未送信を示す「０」である全ての特殊景品の固有ＩＤを、計画された所定のタイミングでまとめて送るものとしたが、本発明はこれに限定されるものではなく、買取場からの特殊景品の入荷処理に引き続いて実施するとしてもよい。
【００８７】
次に、図２に示したセンターサーバ６０の内部構成を説明する。図１０は、センターサーバ６０の内部構成を示すブロック図である。同図に示すように、センターサーバ６０は、入力部６１及び表示部６２と接続される。入力部６１は、キーボードやマウス等であり、表示部６２は、液晶パネルやディスプレイ装置等である。
【００８８】
また、センターサーバ６０は、通信部６３と、記憶部６４と、制御部６５とを有する。通信部６３は、回線網を通して問屋ＰＣ１０、買取場ＰＣ３０及び集荷場ＰＣ５０とデータ通信するためのインタフェース部である。
【００８９】
記憶部６４は、ハードディスク装置や不揮発性メモリ等の記憶デバイスであり、特殊景品状況データ６４ａ、買取データ６４ｂ、特殊景品流通履歴データ６４ｃ、手数料パラメータ６４ｄ、監査基準データ６４ｅ、要注意景品データ６４ｆ、買取場別監査結果データ６４ｇ及び地区別監査結果データ６４ｈを有する。
【００９０】
特殊景品状況データ６４ａは、問屋、遊技店、買取場、集荷場の拠点及びこれらの拠点間を搬送中の全ての特殊景品に関して、特殊景品の種類、固有ＩＤ及び状態などの情報が記憶されたデータである。買取データ６４ｂは、全ての買取場で実施された特殊景品の買取処理の処理履歴が記憶されたデータである。特殊景品流通履歴データ６４ｃは、特殊景品の流通経路内での移動の全ての履歴を記録したものである。手数料パラメータ６４ｄは、買取場で特殊景品を買い取る場合の手数料率及び特殊景品を買い取る場合の支払う買取金額の単位金額を有する。
【００９１】
監査基準データ６４ｅは、景品流通状況監査部６５ｅにて行う特殊景品の流通状況の監査において、アラート報知を行う判定基準の設定データである。要注意景品データ６４ｆは、景品流通状況監査部６５ｅにて行う特殊景品の流通状況の監査処理において、不正な流通が行われている可能性のある特殊景品であると判定した特殊景品の一覧である。買取場別監査結果データ６４ｇは、景品流通状況監査部６５ｅにて行う買取場ごとの特殊景品の流通状況の監査処理において評価した、買取場ごとの評価結果である。地区別監査結果データ６４ｈは、景品流通状況監査部６５ｅにて行う買取場の地区ごとの特殊景品の流通状況の監査処理において評価した、地区ごとの評価結果である。
【００９２】
制御部６５は、センターサーバ６０の全体を制御する制御部であり、特殊景品状況管理部６５ａ、景品状況集計部６５ｂ、買取状況集計部６５ｃ、手数料設定処理部６５ｄ及び景品流通状況監査部６５ｅを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００９３】
特殊景品状況管理部６５ａは、問屋ＰＣ１０、買取場ＰＣ３０及び集荷場ＰＣ５０から通知される、特殊景品の状況の変化を通知するデータを受け付けて、受け付けた個々の特殊景品の状況に係る情報を特殊景品状況データ６４ａ及び特殊景品流通履歴データ６４ｃに、特殊景品の買取に係る情報を買取データ６４ｂに反映する。問屋ＰＣ１０からは、新規に生産された特殊景品の入荷及び集荷場からの特殊景品の入荷と、遊技店への特殊景品の出荷に係る情報が通知され、特殊景品状況管理部６５ａは、通知された内容を特殊景品状況データ６４ａ及び特殊景品流通履歴データ６４ｃに反映する。買取場ＰＣ３０からは、遊技客が持ち込んで買取場が買い取った特殊景品の状況に係る情報が通知され、特殊景品状況管理部６５ａは、買取場が買い取った特殊景品の状況に係る情報を特殊景品状況データ６４ａ及び特殊景品流通履歴データ６４ｃに、遊技客の持ち込んだ特殊景品の買取時の買取額、手数料額及び端数手数料額などの情報を買取データ６４ｂに反映する。また、買取場ＰＣ３０からは、集荷場への出荷に係る特殊景品の情報が通知され、特殊景品状況管理部６５ａは、通知された内容を特殊景品状況データ６４ａ及び特殊景品流通履歴データ６４ｃに反映する。集荷場ＰＣ５０からは、買取場から集荷場に集荷された特殊景品の入荷と、問屋への特殊景品の出荷に係る情報が通知され、特殊景品状況管理部６５ａは、通知された内容を特殊景品状況データ６４ａ及び特殊景品流通履歴データ６４ｃに反映する。
【００９４】
また、特殊景品状況管理部６５ａは、問屋ＰＣ１０、買取場ＰＣ３０若しくは集荷場ＰＣ５０との通信ができない状態になって、復旧して通信が行える状態に戻った場合には、復旧直後に送られてきたデータに関して、通信が正常に行えている時の過去のデータと比較して、所定の閾値以上の差異があった場合には、アラートを発報するようにしてもよい。
【００９５】
また、特殊景品状況管理部６５ａは、買取場ＰＣ３０から通知される買取済景品データ３５ｃを受け付けた場合に買い取った景品ごとの処理区分を参照して、特殊景品の固有ＩＤを手入力した比率を分析して、所定の比率よりも大きい場合などはアラートを発報するようにしてもよい。
【００９６】
また、特殊景品状況管理部６５ａは、所定のタイミングで、買取場ＰＣ３０に問屋から出荷済で買取場でまだ買い取られていない特殊景品の一覧データを配信する。また、特殊景品状況管理部６５ａは、所定のタイミングで、集荷場ＰＣ５０に買取場から出荷済で集荷場にまだ入荷されていない特殊景品の一覧データを配信する。また、特殊景品状況管理部６５ａは、所定のタイミングで、問屋ＰＣ１０に集荷場から出荷済で問屋にまだ入荷されていない特殊景品の一覧データを配信する。
【００９７】
景品状況集計部６５ｂは、本システムの利用者の使用するＰＣからＷｅｂブラウザ等を介して特殊景品の流通状況の照会要求を受け付けると、特殊景品状況データ６４ａの情報を用いて、問屋、遊技店、買取場、集荷場の拠点の特殊景品の在庫量と、拠点間を搬送中の特殊景品の数量などの特殊景品の流通状況を出力する。詳細な出力内容は後述する。
【００９８】
買取状況集計部６５ｃは、本システムの利用者の使用するＰＣからＷｅｂブラウザ等を介して指定された期間に係る買取場での買取処理状況の照会要求を受け付けると、買取データ６４ｂの情報を用いて、指定された期間の買取額、手数料額、端数手数料額等を集計して出力する。詳細な出力内容は後述する。
【００９９】
手数料設定処理部６５ｄは、買取場で特殊景品を買い取る場合の手数料率及び特殊景品を買い取る場合の支払う買取金額の単位金額を設定する処理部で、設定内容は手数料パラメータ６４ｄに記憶される。また、手数料パラメータ６４ｄを更新したならば、手数料設定処理部６５ｄは、更新された手数料パラメータ６４ｄを買取場ＰＣ３０に所定のタイミングで配信する。
【０１００】
景品流通状況監査部６５ｅは、監査基準データ６４ｅに設定される監査基準に従って、特殊景品状況データ６４ａ、買取データ６４ｂ及び特殊景品流通履歴データ６４ｃの内容を監査し、該監査の結果を要注意景品データ６４ｆ、買取場別監査結果データ６４ｇ及び地区別監査結果データ６４ｈに出力する。また、景品流通状況監査部６５ｅは、所定のタイミングで、要注意景品データ６４ｆを買取場ＰＣ３０に配信する。また、景品流通状況監査部６５ｅは、買取場別監査結果データ６４ｇ及び地区別監査結果データ６４ｈの内容をセンターサーバの表示部６２に表示したりセンターサーバにアクセスするＰＣ上に表示することによって、監査基準データ６４ｅに設定される監査基準に従って監査した内容の報知を行う。
【０１０１】
また、景品流通状況監査部６５ｅは、本実施例１で示した監査基準データ６４ｅに基づく監査内容に限定するものではなく、例えば、所定期間の買取場及び地区ごとに問屋からの出荷額と買取場での買取額を比較して、差が大きい場合にはアラートを発報するようにしてもよい。
【０１０２】
次に、図２に示したセンターサーバ６０のデータ構成について説明する。図１１及び図１２は、センターサーバ６０のデータ構成について説明するための説明図である。まず、図１１に示す特殊景品状況データ６４ａ、買取データ６４ｂ及び特殊景品流通履歴データ６４ｃのデータ構成について説明する。
【０１０３】
特殊景品状況データ６４ａは、流通している特殊景品ごとに景品種類、景品単価、特殊景品の固有ＩＤ、ステータス、問屋情報、遊技店情報、買取場情報及び集荷場情報を１レコードの保有項目とする、ゼロ、１又は複数のレコードで構成されるデータである。ステータスは、問屋在庫であることを示す「０」、問屋から出荷済であることを示す「１」、遊技店在庫であることを示す「２」、遊技客に景品として払出済であることを示す「３」、買取場在庫であることを示す「４」、買取場から出荷済であることを示す「５」、集荷場在庫であることを示す「６」、集荷場から出荷済であることを示す「７」がある。また、問屋情報、遊技店情報、買取場情報及び集荷場情報にはそれぞれ問屋、遊技店、買取場若しくは集荷場の識別名と問屋、遊技店、買取場若しくは集荷場の入荷日、出荷日を有する。
【０１０４】
特殊景品状況データ６４ａは、問屋が集荷場から買い付けて問屋に入荷された時には、問屋情報に問屋識別名と入荷日が書き込まれ、問屋情報の出荷日、遊技店情報、買取場情報及び集荷場情報はクリアされる。
【０１０５】
実施例１では、遊技店に設置して本システムと接続される装置はないことから、遊技店への入荷や遊技店から遊技客への特殊景品の払出に係る情報は収集できないが、遊技店に、特殊景品に係る情報をセンターサーバ６０に通知することができる装置が設置されることを想定して、データ構成上は遊技店情報を含めた構成としている。
【０１０６】
図１１の特殊景品状況データ６４ａの例は、景品種類が「Ａ」で、景品単価が「５，０００」円で、固有ＩＤが「Ａ１２３４５」で、ステータスが「買取場から出荷済」で有ることを示す「５」で、「問屋Ａ」に「２０１３／４／５」に入荷して、「２０１３／４／１０」に「遊技店Ａ」に出荷して、「買取場Ａ」で「２０１３／４／１１」に買い取られ、「２０１３／４／１２」に「集荷場Ａ」に出荷されたという情報を有するレコードが含まれていることを示している。
【０１０７】
買取データ６４ｂは、買取日付、買取時刻、買取場の識別名、買取額、徴収した手数料額及び端数手数料額を１レコードの保有項目とする、ゼロ、１又は複数のレコードで構成されるデータである。図１１の買取データ６４ｂの例は、買取日付が「２０１３／４／１１」で、買取時刻が「１８：３０」で、買取場識別名が「買取場Ａ」である買取場で、買取額「５０，９２０」円を支払い、手数料「１，５７５」円を徴収し、端数手数料「５」円を預かっていることを示すレコードが含まれていることを示している。
【０１０８】
特殊景品流通履歴データ６４ｃは、特殊景品の固有ＩＤ、流通経路内の移動の発生した日付と時刻、履歴区分、移動元及び移動先の情報をレコードの保有項目とするデータである。履歴区分とは「１」が入荷の履歴で、「２」が出荷の履歴であることを示す。また、移動元及び移動先のデータは経路区分と経路の識別名を有し、経路区分は「１」が問屋、「２」が遊技店、「３」が買取場、「４」が集荷場で有ることを示す。
【０１０９】
図１１の特殊景品流通履歴データ６４ｃの例は、固有ＩＤが「Ａ１２３４５」の特殊景品が、日付が「２０１３／４／１１」の時刻「１８：３０」に、履歴区分が「２」で出荷の履歴であり、経路区分「２」の示す識別名が「遊技店Ａ」の遊技店から、経路区分「３」の示す識別名が「買取場Ａ」の買取場への特殊景品の流通の履歴データが含まれていることを示している。
【０１１０】
次に、図１２に示す監査基準データ６４ｅ、要注意景品データ６４ｆ、買取場別監査結果データ６４ｇ及び地区別監査結果データ６４ｈのデータ構成について説明する。
【０１１１】
監査基準データ６４ｅは、買取頻度監査基準と、滞留期間監査基準と、買取場別監査基準と、地区別監査基準とを有する。買取頻度監査基準は、買取場で同一の特殊景品が買い取られる頻度の上限を規定したものであり、監査対象期間と、監査対象期間における買取の上限回数を示す買取回数上限値と、買い取られた景品の全数に対する割合の上限比率を示す出現率限度値とを有する。買取頻度監査基準に基づいて監査することにより、特殊景品の偽造による同一の固有ＩＤをもつ特殊景品の流通経路への混入や、流通経路の関係者による不正な特殊景品の流通などを監視することができる。
【０１１２】
監査基準データ６４ｅの滞留期間監査基準は、問屋からの出荷から買取場で買い取られるまでの期間の上限を規定したものであり、問屋からの出荷から買取場で買い取られるまでの期間の上限日数である滞留期間上限日数を有する。滞留期間監査基準に基づいて監査することにより、特殊景品に対する不正な操作や特殊景品を基にした偽造などの不正な行為の可能性を監視することができる。
【０１１３】
監査基準データ６４ｅの買取場別監査基準は、買取場ごとの所定期間の特殊景品の買取金額と集荷場へ出荷した金額との差の上限値を規定したものであり、監査対象期間と、所定期間の特殊景品の買取金額と集荷場へ出荷した金額との差額の集荷場へ出荷した金額に対する割合の上限値を示す許容誤差率上限値を有する。買取場別監査基準に基づいて監査することにより、買取場による不正な特殊景品の混入や他への転売などの不正な行為を監視することができる。
【０１１４】
監査基準データ６４ｅの地区別監査基準は、複数の買取場を１つの地区として、所定期間に同一地区に属する遊技店に問屋から出荷した特殊景品を全て買取場で買い取った場合の論理手数料と同一地区に属する買取場で景品買取時に徴収した実収手数料との差の上限値を規定したものであり、監査対象期間と、論理手数料と実収手数料との差額の実収手数料に対する割合の上限値を示す許容誤差率上限値を有する。地区別監査基準に基づいて監査することにより、地区の単位における不正な特殊景品の混入や他への転売及び手数料率の不正な運用を監視することができる。
【０１１５】
図１２の監査基準データ６４ｅの例は、買取頻度監査基準の監査対象期間が「７日」間で、買取回数上限値が「７回」で、出現率限度値が「１％」で、滞留期間監査基準の滞留期間上限日数が「５日」で、買取場別監査基準の監査対象期間が「１０日」で、許容誤差率上限値が「３％」で、地区別監査基準の監査対象期間が「３０日」で、許容誤差率上限値が「３％」であることを示している。
【０１１６】
要注意景品データ６４ｆは、監査基準データ６４ｅの買取頻度監査基準と滞留期間監査基準に基づく監査で買取頻度監査基準若しくは滞留期間監査基準に抵触した特殊景品の一覧であり、特殊景品の景品種類と、特殊景品の固有ＩＤと、要注意景品データ６４ｆに抽出された理由を示す理由コードと、買取頻度監査基準に抵触した場合の出現率と買取回数と、滞留期間監査基準に抵触した場合の滞留日数とをレコードの項目とするデータである。理由コードは、所定期間における買取場での出現率若しくは買取回数が買取頻度監査基準に抵触したことを示す「１」と、問屋出荷から買取場で買い取られるまでの期間が滞留期間監査基準に抵触したことを示す「２」とがある。
【０１１７】
図１２の要注意景品データ６４ｆの１つ目のレコードの例は、景品種類が「Ａ」で、固有ＩＤが「Ａ５４３２１」の特殊景品が、理由コードが「２」で滞留期間監査基準に抵触し、問屋出荷から買取場で買い取られるまでの滞留日数が「１０」日であったことを示している。また、図１２の要注意景品データ６４ｆの２つ目のレコードの例は、景品種類が「Ａ」で、固有ＩＤが「Ａ５４３３３」の特殊景品が、理由コードが「１」で買取頻度監査基準に抵触し、買取場への出現率が「０．８％」で買取回数が「８」回であったことを示している。また、図１２の要注意景品データ６４ｆの３つ目のレコードの例は、景品種類が「Ｂ」で、固有ＩＤが「Ｂ８７６５４」の特殊景品が、理由コードが「１」で買取頻度監査基準に抵触し、買取場への出現率が「１．５％」で買取回数が「１０」回であったことを示している。
【０１１８】
買取場別監査結果データ６４ｇは、監査基準データ６４ｅの買取場別監査基準に基づく監査で全ての買取場を評価した結果であり、買取場の買取場名と、当該買取場で所定期間に買取を行った件数と買取額と手数料額と端数手数料額と、当該買取場から集荷場に出荷した特殊景品の出荷額を示す集荷場買取額と、誤差率と、買取場別監査基準に抵触したか否かを示すアラートとをレコードの項目とするデータである。誤差率とは、買取場の買取額と手数料額と端数手数料額との合計値と、集荷場買取額との差額の、集荷場買取額に対する割合であり、該誤差率が買取場別監査基準に規定される許容誤差率上限値を超えた場合にはアラートの項目値に「１」を設定し、該誤差率が買取場別監査基準に規定される許容誤差率上限値以下である場合にはアラートの項目値に「０」を設定する。
【０１１９】
図１２の買取場別監査結果データ６４ｇの１つ目のレコードの例は、買取場名が「買取場Ｘ」の買取場では所定期間内に、買取件数が「７００」件あり、買取額が「８，０００，０００」円で、徴収した手数料額が「２４０，０００」円で、端数手数料額が「３，６００」円で、集荷場買取額が「８，３５０，０００」円であり、誤差率が「１．３％」で、アラートは誤差率が監査基準データ６４ｅの買取場別監査基準に抵触していないことを示す「０」であることを示している。また、図１２の買取場別監査結果データ６４ｇの２つ目のレコードの例は、買取場名が「買取場Ｙ」の買取場では所定期間内に、買取件数が「５５０」件あり、買取額が「４，９００，０００」円で、徴収した手数料額が「１４７，０００」円で、端数手数料額が「２，８００」円で、集荷場買取額が「５，２５０，０００」円であり、誤差率が「３．８％」で、アラートは誤差率が監査基準データ６４ｅの買取場別監査基準に抵触していることを示す「１」であることを示している。
【０１２０】
地区別監査結果データ６４ｈは、監査基準データ６４ｅの地区別監査基準に基づく監査で全ての地区を評価した結果であり、地区名と、所定の期間に問屋から当該地区名に対応する地区の遊技店に出荷した特殊景品の出荷額を示す問屋出荷額と、問屋出荷額に対応する特殊景品が全て買取場で買い取られた場合の計算上の手数料である論理手数料額と、所定の期間に当該地区名に対応する地区の買取場で実際に徴収した手数料である実収手数料額と、誤差率と、地区別監査基準に抵触したか否かを示すアラートとをレコードの項目とするデータである。誤差率とは、論理手数料額と実収手数料額との差額の実収手数料額に対する割合であり、該誤差率が地区別監査基準に規定される許容誤差率上限値を超えた場合にはアラートの項目値に「１」を設定し、該誤差率が地区別監査基準に規定される許容誤差率上限値以下である場合にはアラートの項目値に「０」を設定する。
【０１２１】
図１２の地区別監査結果データ６４ｈの１つ目のレコードの例は、地区名が「Ｍ地区」である地区に含まれる遊技店への、所定期間における問屋からの特殊景品の出荷額が「７０，０００，０００」円で、論理手数料額が「２，１００，０００」円で、実収手数料額が「２，１０５，０００」円で、誤差率が「０．２％」で、アラートは誤差率が監査基準データ６４ｅの地区別監査基準に抵触していないことを示す「０」であることを示している。また、図１２の地区別監査結果データ６４ｈの２つ目のレコードの例は、地区名が「Ｎ地区」である地区に含まれる遊技店への、所定期間における問屋からの特殊景品の出荷額が「６５，０００，０００」円で、論理手数料額が「１，９５０，０００」円で、実収手数料額が「２，０２０，０００」円で、誤差率が「３．５％」で、アラートは誤差率が監査基準データ６４ｅの地区別監査基準に抵触していることを示す「１」であることを示している。
【０１２２】
次に、図２に示したセンターサーバ６０から出力される特殊景品の流通状況の集計内容を説明する。図１３は、センターサーバ６０から出力される特殊景品の流通状況の集計内容を説明するための説明図である。
【０１２３】
図１３の左上部分は、照会対象の特殊景品の種類を指定する領域である。本実施例では流通している特殊景品は「景品Ａ」、「景品Ｂ」及び「景品Ｃ」の３種類で、３種類の景品のいずれかを指定したり、組合せを指定したり、全景品を指定することによって、指定した特殊景品の流通状況の照会が可能である。図１３は、全景品を指定して「集計」ボタンを押下した時の画面出力例である。
【０１２４】
丸で囲んだ問屋の部分の表は、全ての問屋の特殊景品の種類別の在庫数量を合算した数量を示している。図１３の例では問屋全体の在庫数量は、景品Ａが「８００」個、景品Ｂが「８００」個、景品Ｃが「２０００」個であることを示している。丸で囲んだ買取場の部分の表は、全ての買取場の特殊景品の種類別の在庫数量を合算した数量を示している。図１３の例では買取場全体の在庫数量は、景品Ａが「１００」個、景品Ｂが「８０」個、景品Ｃが「２４０」個であることを示している。丸で囲んだ集荷場の部分の表は、全ての集荷場の特殊景品の種類別の在庫数量を合算した数量を示している。図１３の例では集荷場全体の在庫数量は、景品Ａが「１２０００」個、景品Ｂが「６８００」個、景品Ｃが「２７０００」個であることを示している。
【０１２５】
丸で囲んだ問屋から破線の丸で囲んだ遊技店に伸びる矢印の下の表は、問屋から遊技店に出荷済で、まだ買取場で買い取られていない特殊景品の種類別の合算した数量を示している。図１３の例では、問屋から遊技店に出荷済で、まだ買取場で買い取られていない特殊景品の種類別に合算した数量は、景品Ａが「５３００」個、景品Ｂが「３０００」個、景品Ｃが「９６００」個であることを示している。丸で囲んだ買取場から丸で囲んだ集荷場に伸びる矢印の上の表は、買取場から集荷場に出荷済で、まだ集荷場に入荷されていない特殊景品の種類別に合算した数量を示している。図１３の例では、買取場から集荷場に出荷済で、まだ集荷場に入荷されていない特殊景品の種類別の合算した数量は、景品Ａが「２５００」個、景品Ｂが「１１００」個、景品Ｃが「３８００」個であることを示している。丸で囲んだ集荷場から丸で囲んだ問屋に伸びる矢印の下の表は、集荷場から問屋に出荷済で、まだ問屋に入荷されていない特殊景品の種類別に合算した数量を示している。図１３の例では、集荷場から問屋に出荷済で、まだ問屋に入荷されていない特殊景品の種類別の合算した数量は、景品Ａが「０」個、景品Ｂが「０」個、景品Ｃが「０」個であることを示している。
【０１２６】
また、図１３の中央にある全体流通状況と示された表は、問屋、買取場及び集荷場の在庫数量と、問屋から遊技店に出荷済で、まだ買取場で買い取られていない特殊景品の種類別の合算した数量と、買取場から集荷場に出荷済で、まだ集荷場に入荷されていない特殊景品の種類別の合算した数量と、集荷場から問屋に出荷済で、まだ問屋に入荷されていない特殊景品の種類別の合算した数量を合算した、特殊景品の種類別の流通量の合計の数量を示している。図１３の例では、特殊景品の種類別の流通量の合計の数量は、景品Ａが「２０７００」個、景品Ｂが「１１７８０」個、景品Ｃが「４２６４０」個であることを示している。
【０１２７】
また、問屋、買取場、集荷場の特殊景品の在庫数量を示す表の右上にある「詳細」ボタンを押下することによって、それぞれの特殊景品の在庫数量の詳細な情報の照会を行うことができる。図１３の左下の吹き出しで囲んだ表は、買取場の在庫数量を示す表の右上の「詳細」ボタンを押下した時に表示される買取場の在庫数量の詳細な情報を示す表であって、買取場ごとに特殊景品の種類ごとの在庫数量が出力される。
【０１２８】
また、問屋、買取場、集荷場間の矢印の上若しくは下の拠点間を搬送中の特殊景品の数量を示す表の右上にある「詳細」ボタンを押下することによって、それぞれの拠点間を搬送中の特殊景品の数量の詳細な情報の照会を行うことができる。図１３の右下の吹き出しで囲んだ表は、買取場から集荷場に出荷済で、まだ集荷場に入荷されていない特殊景品の種類別の合算した数量を示す表の右上の「詳細」ボタンを押下した時に表示される、買取場から集荷場に搬送中の特殊景品の数量詳細な情報を示す表であって、搬送元と搬送先の組合せごとに特殊景品の種類ごとの搬送数量が出力される。
【０１２９】
実施例１では、遊技店に設置する装置はないことから、遊技店の在庫や遊技店から遊技客への特殊景品の払出に係る情報は収集できない。よって、図１３においても遊技店の特殊景品の在庫数量や遊技店から遊技客に景品として払い出されてまだ買取場で買い取られていない特殊景品の数量は図中には表現されていない。しかし、遊技店に特殊景品に係る情報をセンターサーバ６０に通知することができる装置が設置されることを想定して、画面構成上は遊技店も含めた構成としている。
【０１３０】
次に、図２に示したセンターサーバ６０から出力される買取場における特殊景品の買取実績の集計内容を説明する。図１４は、センターサーバ６０から出力される買取場における特殊景品の買取実績の集計内容を説明するための説明図である。
【０１３１】
図面の上部には集計期間を指定するための入力項目が配置されている。開始の入力項目と最終の入力項目に集計対象の開始日と最終日を入力して、「集計」ボタンを押下することによって、図１４に示すような出力結果を得ることができる。具体的には、開始の入力項目に入力された日付から、最終の入力項目に入力された日付までの間に買取処理が行われたデータを買取データ６４ｂから抽出して、買取場ごとに買取額、手数料額及び端数手数料額を集計したものである。最終行には、全ての買取場の合計の買取額、手数料額及び端数手数料額が算出されている。
【０１３２】
図１４の例は、「２０１３／４／１」から「２０１３／４／３０」までの間に、「買取場Ａ」では、買取額の合計が「１１，５００，０００」円で、手数料額の合計が「３４２，０００」円で、端数手数料額の合計が「４８，０００」円の実績があり、買取場全体の合計では、買取額の合計が「２３５，０００，０００」円で、手数料額の合計が「６，８００，０００」円で、端数手数料額の合計が「９２５，０００」円で有ることを示している。
【０１３３】
上述してきたように、本実施例１では、遊技店に特殊景品を供給する問屋と、遊技店で景品交換により払い出された特殊景品を買い取る買取場と、買取場の景品を集荷して問屋に供給する集荷場とを拠点とする流通経路上で、特殊景品の個体識別可能な固有ＩＤを読み取り、流通経路上の所在を示す流通状況を対応付けることによって、流通経路上に流通する複数の特殊景品を個別管理できるよう構成したので、遊技店で遊技媒体と交換可能で買取場で買い取ってもらうことが可能な特殊景品の流通経路における流通状況を適切に管理することができる。
【実施例２】
【０１３４】
ところで、上述の実施例１では、特殊景品の流通経路である問屋、買取場及び集荷場の特殊景品の在庫数量と、問屋から遊技店に向けて出荷済で買取場でまだ買い取られていない特殊景品の数量と、買取場から出荷済で集荷場にまだ入荷になっていない特殊景品の数量と、集荷場から出荷済で問屋にまだ入荷になっていない特殊景品の数量を随時紹介することができた。しかしながら、遊技店の在庫数量や、遊技店から遊技客に遊技媒体との交換で払い出した特殊景品で、まだ買取場で買い取られていない特殊景品の数量を把握することができない。本実施例２では、遊技店で特殊景品の管理を行う装置を本システムに回線網を通して接続して、遊技店の特殊景品の在庫数量や、遊技店から遊技客に遊技媒体との交換で払い出していて、まだ買取場で買い取られていない特殊景品の数量を管理する実施例を説明する。
【０１３５】
まず、実施例２に係る景品流通管理システムにおける特殊景品の流通状況管理の概要を説明する。図１５は、実施例２に係る景品流通管理システムにおける特殊景品の流通状況管理の概要を説明するための説明図である。図１に示した実施例１の流通状況管理の概要を説明した図と比較すると、遊技店からセンターサーバ６０に特殊景品の入荷景品情報と、交換景品情報とを通知するインタフェースが追加となっている。
【０１３６】
遊技店では、問屋からの特殊景品を入荷すると、まず特殊景品の真贋判定を行う。また、真贋判定で正規品であると判定された特殊景品については、入荷した特殊景品の種類ごとの数、特殊景品ごとの固有ＩＤ及び遊技店の識別情報などをセンターサーバ６０に通知して、センターサーバ６０の特殊景品状況データ６４ａの特殊景品ごとの状況の更新と特殊景品流通履歴データ６４ｃに特殊景品が問屋から遊技店に入荷されたことを示す流通履歴の登録とを行う。
【０１３７】
また、遊技店では、景品交換で特殊景品を遊技客に払い出すと、遊技客に払い出した特殊景品の種類ごとの数、特殊景品ごとの固有ＩＤ及び遊技店の識別情報などをセンターサーバ６０に通知して、センターサーバ６０の特殊景品状況データ６４ａの特殊景品ごとの状況の更新と特殊景品流通履歴データ６４ｃに特殊景品が遊技店から遊技客に払い出されたことを示す流通履歴の登録とを行う。
【０１３８】
実施例１では、特殊景品が、問屋から遊技店へ出荷されてから買取場に遊技客が持ち込んで買取処理が行われるまでの間は、特殊景品の詳細な状態が管理されていなかった。しかし、実施例２では、上記のように遊技店への入荷時に、遊技店に入荷した入荷景品情報をセンターサーバ６０に通知し、景品交換によって特殊景品の遊技客への払出時に景品交換情報をセンターサーバ６０に通知するので、遊技店の特殊景品の在庫数量や、景品交換によって遊技客に払い出されてまだ買取場で買い取られていない特殊景品の数量を管理することができる。
【０１３９】
次に、実施例２に係る景品流通管理システムのシステム構成を説明する。図１６は、実施例２に係る景品流通管理システムのシステム構成を示す図である。実施例１で説明した景品流通管理システムのシステム構成と同じ部分については、実施例１と同じ符号をつけ、同じ部分の説明は省略して、変更になっている部分を中心に説明する。実施例１との差異は、実施例１では遊技店には本システムに関係する装置はなかったが、本実施例２では遊技店ＰＣ８０と景品管理装置７０が、回線網を介してセンターサーバ６０に接続されている部分である。また、実施例１と比較すると、買取場ＰＣ１３０についても、遊技店に係る特殊景品の詳細な状態が管理できることとなったことの影響で、買い取ってもらうために持ち込まれた特殊景品の真贋判定処理に差異がある。また、センターサーバ６０については、実施例１においても、遊技店に係る特殊景品の詳細な状態が管理できることとなったことを考慮した構造としていることから差異はない。
【０１４０】
遊技店には、ＩＣタグリーダ８３の接続された遊技店ＰＣ８０と、景品管理装置７０と、景品管理装置７０に接続してＩＣタグリーダ９２を内蔵する景品払出機９０が追加されて、遊技店ＰＣ８０及び景品管理装置７０は、回線網を介してセンターサーバ６０と接続している。遊技店ＰＣ８０は、問屋から特殊景品が入荷したならば、入荷したそれぞれの特殊景品に付けられているＩＣタグから特殊景品の固有ＩＤを読み込んで、読み込んだ特殊景品の固有ＩＤに、遊技店の識別情報や「遊技店へ入荷」を示すデータなどを付け加えて、センターサーバ６０に通知する。
【０１４１】
また、遊技店で遊技媒体と特殊景品を交換する場合には、景品管理装置７０によって景品交換処理が行われる。景品管理装置７０は特殊景品の払い出しの指示を示す操作を受け付けると、景品払出機９０に指定された特殊景品の払い出しの指示を行う。指示を受けた景品払出機９０は、指示に従って特殊景品の払い出しを行う。また、景品払出機９０は、特殊景品の払い出し時に、払い出す特殊景品の固有ＩＤを内蔵のＩＣタグリーダ９２で読み取り、特殊景品の払い出しの終了時に読み取った特殊景品の固有ＩＤを景品管理装置７０に通知する。景品管理装置７０は、景品払出機９０から通知された特殊景品の固有ＩＤに「遊技客に払出」を示すデータを加えて、センターサーバ６０に通知する。
【０１４２】
買取場ＰＣ３０、１３０では、遊技客の持ち込んだ特殊景品の買取処理において、持ち込まれた特殊景品の真贋判定を実施する。実施例１では、遊技店に係る特殊景品の詳細な状態が管理できていなかったので、問屋から出荷済でまだ買取場で買い取られていない特殊景品であることを条件に正規な特殊景品であると判定したが、本実施例２では、遊技店で遊技客に景品として払出済でまだ買取場で買い取られていない特殊景品であることを条件に正規な特殊景品であると判定するようにする。
【０１４３】
実施例１と比較して、上述のとおり、実施例２では、遊技店に係る特殊景品の詳細な状態の管理を行うようにするとともに、その詳細化された情報を活用して買取場において買い取られる特殊景品のより厳格な真贋判定処理を行うようにしたので、より詳細で厳格な特殊景品の流通状況の管理を行うことができる。
【０１４４】
次に、図１６に示した景品管理装置７０の実施例２に係る内部構成を説明する。図１７は、景品管理装置７０の内部構成を示すブロック図である。
【０１４５】
景品管理装置７０は、表示操作部７１と、カードリーダライタ７２と、バーコードリーダ７３と、通信部７５と記憶部７６と、制御部７７とを有する。
【０１４６】
表示操作部７１は、景品交換に係る各種情報の表示と、景品交換に係る各種操作の受け付けを行なうタッチパネル式のディスプレイ等の入出力部である。カードリーダライタ７２は、会員カード及び一般カードのカードＩＤを読み取る読取部である。バーコードリーダ７３は、遊技店内に設置される計数装置などで遊技媒体の計数した結果として発行されたレシートなどに印刷されたバーコードを読み取るための読取部である。通信部７５は、センターサーバ６０及び景品払出機９０とデータ通信するためのインタフェース部である。
【０１４７】
記憶部７６は、ハードディスク装置や不揮発性メモリ等の記憶デバイスであり、景品マスタ７６ａ、遊技媒体データ７６ｂ及び交換済景品データ７６ｃを有する。
【０１４８】
景品マスタ７６ａは、景品を一意に識別する景品コードに対し、景品名、群コード、景品価値及び交換遊技媒体数を関連付けたデータである。遊技媒体データ７６ｂは、遊技客の有する遊技媒体の合計枚数を示す。交換済景品データ７６ｃは、景品交換によって払い出された特殊景品のデータである。
【０１４９】
制御部７７は、景品管理装置７０の全体を制御する制御部であり、遊技媒体管理部７７ａ、景品交換指示部７７ｂ及び交換済景品データ送信部７７ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【０１５０】
遊技媒体管理部７７ａは、カードリーダライタ７２で一般カードが読み込まれると、該一般カードに対応付けられた持遊技媒体数を図示しないカード管理装置より入手して、遊技媒体データ７６ｂに書き込む。また、遊技媒体管理部７７ａは、カードリーダライタ７２で会員カードが読み込まれると、該会員カードに対応付けられた持遊技媒体数を図示しないカード管理装置より入手して、貯遊技媒体数を図示しない会員管理装置より入手して、遊技媒体データ７６ｂに書き込む。また、遊技媒体管理部７７ａは、バーコードリーダ７３で遊技店内に設置される計数装置などで計数結果として発行されたレシートなどに印刷されたバーコードを読み取ると、該レシートに対応する遊技媒体の計数結果を、遊技媒体データ７６ｂに書き込む。このように、遊技媒体管理部７７ａは、景品と交換対象の遊技媒体数を遊技媒体データ７６ｂに反映させる。
【０１５１】
景品交換指示部７７ｂは、表示操作部７１を制御して、交換する景品の種類と景品の種類ごとの数量を受け付けるための画面の表示制御を行い、景品の種類と景品の種類ごとの数量を受け付ける。また、景品交換指示部７７ｂは、受け付けた交換する景品に特殊景品が含まれている場合には、特殊景品の種類と種類ごとの個数を含む特殊景品の払い出しの指示を景品払出機９０に送信する。
【０１５２】
交換済景品データ送信部７７ｃは、景品払出機９０から特殊景品の払い出しの応答を受け付け、受け付けた応答に含まれる払い出した特殊景品ごとの固有ＩＤなどの情報から交換済景品データ７６ｃにレコードを追加する。また、交換済景品データ送信部７７ｃは、所定のタイミングで交換済景品データ７６ｃに登録されたデータで、まだセンターサーバ６０に未送信のレコードを送信する。送信するタイミングはリアルタイムが望ましいが、所定のインターバルで送信するものとしてもよい。
【０１５３】
また、交換済景品データ送信部７７ｃは、センターサーバ６０にデータ送信しようとした時に、センターサーバ６０との通信が行えない状態の場合には、センターサーバ６０との通信の普及時若しくは次にセンターサーバ６０への送信を行う時に、通信が行えない状態であったことによって送信していなかったデータを送信することを可能とする。
【０１５４】
次に、図１６に示した景品管理装置７０の実施例２に係るデータ構成について説明する。図１８は、図１６に示した景品管理装置７０のデータ構成について説明するための説明図である。
【０１５５】
交換済景品データ７６ｃは、遊技店で景品交換の行われた日付である景品交換日付、景品交換の行われた時刻、遊技店の識別名、ステータス及び交換された景品の情報を有する。ステータスはコード化されており、景品交換で払い出されたことをセンターサーバ６０に未送信を示す「０」と、景品交換で払い出されたことをセンターサーバ６０に送信済であることを示す「１」とがある。また、交換された景品の情報には、１つ若しくは複数の交換景品の情報が含まれ、交換する景品ごとに景品の種類と固有ＩＤを有している。
【０１５６】
図１８の交換済景品データ７６ｃの例は、景品交換で遊技客に払い出された日付が「２０１３／４／１１」で時刻が「１７：００」で、遊技店識別名が「遊技店Ａ」で、ステータスが景品交換で払い出されたことをセンターサーバ６０に未送信であることを示す「０」で、払い出した景品に景品種類が「Ａ」で固有ＩＤが「Ａ１２３４５」と、景品種類が「Ａ」で固有ＩＤが「Ａ１２３４６」の景品が含まれていることを示すレコードを有していることを示している。
【０１５７】
次に、図１６に示した景品払出機９０の実施例２に係る内部構成を説明する。図１９は、景品払出機９０の実施例２に係る内部構成を示すブロック図である。
【０１５８】
景品払出機９０は、景品貯留部９１と、ＩＣタグリーダ９２と、景品払出部９３と、通信部９４と、記憶部９５と、制御部９６とを有する。
【０１５９】
景品貯留部９１は、払出用の景品を格納しておく貯留部である。ＩＣタグリーダ９２は、払い出される特殊景品のＩＣタグを読み取るための読取部である。景品払出部９３は、景品貯留部９１から図示しない景品払出口まで搬送する搬送部である。通信部９４は、景品管理装置７０とデータ通信するためのインタフェース部である。
【０１６０】
記憶部９５は、ハードディスク装置や不揮発性メモリ等の記憶デバイスであり、払出景品指示データ９５ａ及び払出済景品データ９５ｂを有する。
【０１６１】
払出景品指示データ９５ａは、景品管理装置７０から特殊景品の払い出しの指示を受け付けた時に受け付けた内容を記憶したデータであって、払い出す特殊景品の種類ごとの個数を有するデータである。払出済景品データ９５ｂは、払出景品指示データ９５ａに記憶された景品管理装置７０からの指示に従って払い出した特殊景品のデータであって、払い出した特殊景品ごとに特殊景品の種類と固有ＩＤを有する。
【０１６２】
制御部９６は、景品払出機９０の全体を制御する制御部であり、払出指示受付部９６ａ、景品投出制御部９６ｂ及び払出応答送信部９６ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【０１６３】
払出指示受付部９６ａは、景品管理装置７０からの特殊景品の払出指示を受け付けて、受け付けた内容を払出景品指示データ９５ａに記憶する。景品投出制御部９６ｂは、払出景品指示データ９５ａに記憶されている特殊景品の払出指示に従って景品の投出処理を行い、投出された特殊景品ごとの景品種類と固有ＩＤを払出済景品デーや９５ｂに記憶する。
【０１６４】
払出応答送信部９６ｃは、景品管理装置７０からの特殊景品の払出指示に対する特殊景品の払い出しが終了したならば、払出済景品データ９５ｂに記憶された払い出した特殊景品のデータを特殊景品の払出指示に対する応答として景品管理装置７０に返信する。また、払出応答送信部９６ｃは、特殊景品のデータを特殊景品の払出指示に対する応答として景品管理装置７０に返信後に、払出景品指示データ９５ａ及び払出済景品データ９５ｂをクリアする。
【０１６５】
次に、図１６に示した景品管理装置７０の景品払出処理の処理手順を説明する。図２０は、図１６に示した景品管理装置７０の景品払出処理の処理手順を示すフローチャートである。
【０１６６】
カードリーダライタ７２で一般カード若しくは会員カードからカードＩＤが読み込まれたならば（ステップＳ４０１；Ｙｅｓ）、遊技媒体管理部７７ａは、一般カードの場合はカード管理装置から持遊技媒体数の情報を、会員カードの場合はカード管理装置から持遊技媒体数の情報と会員管理装置から貯遊技媒体数の情報とを入手する（ステップＳ４０２）。さらに、遊技媒体管理部７７ａは、入手した持遊技媒体数と貯遊技媒体数を遊技媒体データ７６ｂに書き込む（ステップＳ４０３）。
【０１６７】
次に、交換する景品を指定する画面がまだ表示されていない場合（ステップＳ４０４；Ｎｏ）には、景品交換指示部７７ｂは、交換する景品を指定する画面を表示操作部７１に表示（ステップＳ４０５）して、ステップＳ４０１に戻る。交換する景品を指定する画面が既に表示されている場合（ステップＳ４０４；Ｙｅｓ）には、ステップＳ４０１に戻る。
【０１６８】
カードリーダライタ７２で一般カード若しくは会員カードからカードＩＤが読み込まれたわけではなく（ステップＳ４０１；Ｎｏ）、バーコードリーダ７３で計数機で発行されたレシートに印刷された遊技媒体の計数結果を示すバーコードが読み込まれたならば（ステップＳ４０６；Ｙｅｓ）、遊技媒体管理部７７ａは、バーコードから読み取った遊技媒体の計数結果を遊技媒体データ７６ｂに書き込んで（ステップＳ４０７）、ステップＳ４０４に移行する。
【０１６９】
バーコードリーダ７３でバーコードが読み込まれたわけではなく（ステップＳ４０６；Ｎｏ）、表示操作部７１に表示した交換景品を指定する画面で交換する景品の種類と種類ごとの数量の指定が終了したのであれば（ステップＳ４０８；Ｙｅｓ）、景品交換指示部７７ｂは、景品払出機９０に指定された特殊景品の払い出しの指示を示す通知を送信して（ステップＳ４０９）、景品払出機９０からの払い出し指示に対する応答の待ち合わせを行う。
【０１７０】
景品払出機９０から特殊景品の払出指示に対する応答が受け付けられなければ（ステップＳ４１０；Ｎｏ）、ステップＳ４１０に戻ることにより特殊景品の払出指示に対する応答を待ち合わせる。景品払出機９０から特殊景品の払出指示に対する応答が受け付けられれば（ステップＳ４１０；Ｙｅｓ）、景品交換指示部７７ｂは、受け付けた応答の内容を交換済景品データ７６ｃに追加登録して（ステップＳ４１１）、表示操作部７１に交換景品画面の表示を終了させて（ステップＳ４１２）、処理を終了する。
【０１７１】
また、表示操作部７１に表示した交換景品を指定する画面で交換する景品の種類と種類ごとの数量の指定がまだ終了していなのであれば（ステップＳ４０８；Ｎｏ）、交換済景品データのセンターサーバ６０への送信時刻であるか否かの判定を行い（ステップＳ４１３）、交換済景品データのセンターサーバ６０への送信時刻ではない場合（ステップＳ４１３；Ｎｏ）には、ステップＳ４０１に移行する。また、交換済景品データのセンターサーバ６０への送信時刻である場合（ステップＳ４１３；Ｙｅｓ）には、交換済景品データ送信部７７ｃは、交換済景品データ７６ｃに記憶された特殊景品の種類及び固有ＩＤと当該固有ＩＤに対応する特殊景品が遊技客に景品として払い出されたことを示すデータを付与してセンターサーバ６０に送信する（ステップＳ４１４）。また、交換済景品データ送信部７７ｃは、ステップＳ４１４でセンターサーバに送信した交換済景品データ７６ｃのレコードのステータスをセンターサーバ６０に送信済であることを示す「１」に更新して（ステップＳ４１５）、処理を終了する。
【０１７２】
次に、図１６に示した景品払出機９０の景品払出処理の処理手順を説明する。図２１は、景品払出機９０の景品払出処理の処理手順を示すフローチャートである。
【０１７３】
払出指示受付部９６ａは、景品管理装置７０からの特殊景品の払い出しの指示を受け付けて、受け付けた内容を払出景品指示データ９５ａに記憶する（ステップＳ５０１）。景品投出制御部９６ｂは、払出景品指示データ９５ａに記憶されている景品管理装置７０からの特殊景品の払い出しの指示に従って、景品貯留部９１から指定の種類の特殊景品を１つ、ＩＣタグリーダ９２の場所まで搬送する（ステップＳ５０２）。
【０１７４】
また、景品投出制御部９６ｂは、ＩＣタグリーダ９２で搬送した特殊景品の固有ＩＤを読み取って（ステップＳ５０３）、固有ＩＤを読み取ったと特殊景品を景品払出部９３を使用して払い出し（ステップＳ５０４）、払出済景品データ９５ｂに払い出した特殊景品の景品種類と固有ＩＤを書き込む（ステップＳ５０５）。
【０１７５】
払出景品指示データ９５ａに記憶されている景品管理装置７０からの特殊景品の払い出しの指示された景品の払い出しが終わっていない場合（ステップＳ５０６；Ｎｏ）には、ステップＳ５０２に移行する。払出景品指示データ９５ａに記憶されている景品管理装置７０からの特殊景品の払い出しの指示された景品の払い出しが全て終了している場合（ステップＳ５０６；Ｙｅｓ）には、払出応答送信部９６ｃは、払出済景品データ９５ｂの内容を含む特殊景品の払出指示に対する応答を景品管理装置７０に送信して（ステップＳ５０７）、処理を終了する。
【０１７６】
次に、図１６に示した買取場ＰＣ１３０の実施例２に係る内部構成を説明する。図２２は、買取場ＰＣ１３０の実施例２に係る内部構成を示すブロック図である。また、図２２に示す、買取場ＰＣ１３０の内部構成では、実施例１で説明した買取場ＰＣ３０と同じ部分については実施例１の買取場ＰＣ３０と同じ符号をつけ、同じ部分の説明は省略して、変更になっている部分を中心に説明する。
【０１７７】
図３に示した実施例１の買取場ＰＣ３０の内部構成と比較すると、記憶部３５に関しては実施例１にあった問屋出荷データ３５ａが無くなっている。また、制御部３６では、配布データ取得部１３６ａ及び真贋判定部１３６ｂは、それぞれ実施例１の配布データ取得部３６ａ及び真贋判定部３６ｂと処理内容が差異がある。また、特殊景品ステータス照会部１３６ｆが追加となっている。
【０１７８】
実施例１の配布データ取得部３６ａは、センターサーバ６０からの配信データを受け付けた内容を問屋出荷データ３５ａと要注意景品データ３５ｄに記憶する処理を行ったが、実施例２の配布データ取得部１３６ａは、センターサーバ６０からの配信データを受け付けた内容を要注意景品データ３５ｄに記憶する処理をのみを行うようになった。また、制御部３６の特殊景品ステータス照会部１３６ｆは、センターサーバ６０に対して特殊景品の固有ＩＤを指定して当該特殊景品のステータス取得する処理部である。
【０１７９】
実施例１では、遊技客が持ち込んだ特殊景品の真贋判定部３６ｂによる真贋判定処理は、遊技客が持ち込んだ特殊景品の固有ＩＤが、事前にセンターサーバ６０から入手した問屋出荷データ３５ａに含まれていること及び要注意景品データ３５ｄに含まれていないことをもって正規な特殊景品であることを判定した。それに対して実施例２の真贋判定部１３６ｂによる真贋判定処理は、遊技客が持ち込んだ特殊景品が、遊技店で遊技客に景品交換により払い出された特殊景品であること及び要注意景品データ３５ｄに含まれていないことをもって正規な特殊景品であることを判定するものとする。
【０１８０】
実施例１では、真贋判定部３６ｂによる真贋判定処理のために記憶部３５に問屋出荷データ３５ａが必要であり、問屋出荷データ３５ａの取得処理を配布データ取得部３６ａが行った。これに対して実施例２では、真贋判定部１３６ｂは、遊技客の持ち込んだ特殊景品の固有ＩＤを読み取って、読み取った固有ＩＤを指定して特殊景品ステータス照会部１３６ｆで、センターサーバ６０から当該特殊景品の最新のステータスを入手して、該ステータスが遊技客に景品として払出済であることを確認するようにしたことから、実施例１の配布データ取得部３６ａが有した問屋出荷データ３５ａの取得処理が無くなり、実施例２の配布データ取得部１３６ａは要注意景品データ３５ｄの取得処理のみを行うこととなった。
【０１８１】
次に、図１６に示した買取場ＰＣ１３０の実施例２に係る買取処理の処理手順を説明する。図２３は、買取場ＰＣ１３０の実施例２に係る買取処理の処理手順を示すフローチャートである。
【０１８２】
ＩＣタグリーダ３３で、特殊景品に付けられたＩＣタグの読取が行われた場合（ステップＳ６０１；Ｙｅｓ）には、特殊景品ステータス照会部１３６ｆは、読み取った固有ＩＤを指定してセンターサーバ６０から当該特殊景品の最新のステータスを入手する（ステップＳ６０２）。真贋判定部１３６ｂは、センターサーバ６０から取得した持ち込まれた特殊景品のステータス及び要注意景品データ３５ｄによって当該特殊景品の真贋判定を行う（ステップＳ６０３）。具体的な真贋判定の処理内容は、図２２の真贋判定部１３６ｂで説明した通りである。
【０１８３】
ステップＳ６０３の真贋判定の結果が、正規品であると判定された場合（ステップＳ６０４；Ｙｅｓ）には、読み取った固有ＩＤなどの情報を買取処理中景品データ３５ｂに登録して（ステップＳ６０５）、処理を終了する。ステップＳ６０３の真贋判定の結果が、正規品ではないと判定された場合（ステップＳ６０４；Ｎｏ）には、正規品ではないと判定された理由などを含めたエラーメッセージ及び当該特殊景品を買取対象とするか否かの判定を促すメッセージを表示部３２に表示する（ステップＳ６０６）。また、真贋判定部１３６ｂは、当該景品に問題はなく景品交換の対象とする旨の操作を受け付けた場合（ステップＳ６０７；Ｙｅｓ）には、ステップＳ６０５に移行する。また、当該景品に問題があり景品交換の対象としない旨の操作を受け付けた場合（ステップＳ６０７；Ｎｏ）には、処理を終了する。
【０１８４】
ＩＣタグリーダ３３による特殊景品に付けられたＩＣタグの読取が行われたわけではなく（ステップＳ６０１；Ｎｏ）、入出金ターミナル４０による買取操作が終了したならば（ステップＳ６０８；Ｙｅｓ）、買取処理部３６ｃは、当該買取処理に係る情報を買取済景品データ３５ｃに追加登録する（ステップＳ６０９）。具体的には、買取処理部３６ｃは、入出金ターミナル４０から入手した買取額、手数料額及び端数手数料額と、買取処理中景品データ３５ｂに登録された遊技客の持ち込んだ特殊景品に係るデータとから、買取済景品データ３５ｃに、当該特殊景品の買取処理に係る情報を追加登録する。また、買取処理部３６ｃは、買取済景品データ３５ｃに追加登録したデータのステータスにセンターサーバ６０に未送信であることを意味する「０」を設定する。また、買取処理部３６ｃは、買取処理中景品データ３５ｂに書き込まれていた遊技客の持ち込んだ特殊景品に係る情報を消去する。
【０１８５】
入出金ターミナル４０による買取操作の終了ではなく（ステップＳ６０８；Ｎｏ）、買取済景品データ３５ｃをセンターサーバ６０に送信する計画された時刻となった場合（ステップＳ６１０；Ｙｅｓ）には、買取データ送信部３６ｄは、買取済景品データ３５ｃの中でステータスがセンターサーバ６０に未送信であることを示す「０」である全てのレコードを、センターサーバ６０に送信する（ステップＳ６１１）。また、買取データ送信部３６ｄは、センターサーバ６０に送信した買取済景品データ３５ｃのレコードのステータスを、センターサーバ６０に送信済であることを示す「１」に変更して（ステップＳ６１２）、処理を終了する。また、買取済景品データ３５ｃをセンターサーバ６０に送付する計画された時刻でもない場合（ステップＳ６１０；Ｎｏ）には、処理を終了する。
【０１８６】
上述してきたように、本実施例２では、遊技店に特殊景品を供給する問屋と、景品交換によって遊技客に特殊景品を払い出す遊技店と、遊技店で景品交換により払い出された特殊景品を買い取る買取場と、買取場の景品を集荷して問屋に供給する集荷場とを拠点とする流通経路上で、特殊景品の個体識別可能な固有ＩＤを読み取り、流通経路上の所在を示す流通状況を対応付けることによって、流通経路上に流通する複数の特殊景品を個別管理できるよう構成したので、遊技店で遊技媒体と交換可能で買取場で買い取ってもらうことが可能な特殊景品の流通経路における流通状況を適切に管理することができる。
【０１８７】
なお、上述の実施例１及び実施例２では特殊景品の識別を、ＩＣタグを特殊景品に付けて、該ＩＣタグに特殊景品全体でユニークな固有ＩＤを記憶させ、該固有ＩＤをＩＣタグリーダで読み取ることによって特殊景品の識別を行ったが、本発明はこれに限定されるものではなく、全ての特殊景品に固有のバーコードやフォノグラムを付けて、このバーコードやフォノグラムを読みこむことによって特殊景品を識別してもよい。
【０１８８】
なお、上述の実施例１及び実施例２では買取場で徴収する手数料に関する設定内容は、センターサーバ６０にて作成して買取場ＰＣ３０に配信し、買取場ＰＣ３０では個別に設定内容の変更は行えないものとしたが、本発明はこれに限定されるものではない。例えば、買取場ＰＣ３０で設定を行えるものとして、買取場ＰＣ３０の立ち上げ時などの所定のタイミングにおいて手数料に関する設定内容をセンターサーバ６０に送信して、センターサーバ６０において設定内容をチェックするようにしてもよい。
【０１８９】
また、上述の実施例１および実施例２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１９０】
以上のように、本発明に係る景品流通管理システム及び景品流通管理方法は、遊技店で遊技媒体と交換可能で買取場で買い取ってもらうことが可能な特殊景品の流通経路における流通状況を適切に管理することに適している。
【符号の説明】
【０１９１】
１０  問屋ＰＣ
１３、３３、５３、８３、９２  ＩＣタグリーダ
３０、１３０  買取場ＰＣ
３１、５１、６１  入力部
３２、５２、６２  表示部
３４、５４、６３、７５、９４  通信部
３５、５５、６４、７６、９５  記憶部
３５ａ  問屋出荷データ
３５ｂ  買取処理中景品データ
３５ｃ  買取済景品データ
３５ｄ、６４ｆ  要注意景品データ
３５ｅ、６４ｄ  手数料パラメータ
３６、５６、６５、７７、９６  制御部
３６ａ、１３６ａ  配布データ取得部
３６ｂ、５６ｂ、１３６ｂ  真贋判定部
３６ｃ  買取処理部
３６ｄ  買取データ送信部
３６ｅ、５６ｄ  出荷データ送信部
４０  入出金ターミナル
５０  集荷場ＰＣ
５５ａ  買取場出荷データ
５５ｂ  集荷景品データ
５６ａ  買取場出荷データ取得部
５６ｃ  集荷データ送信部
６０  センターサーバ
６４ａ  特殊景品状況データ
６４ｂ  買取データ
６４ｃ  特殊景品流通履歴データ
６４ｅ  監査基準データ
６４ｇ  買取場別監査結果データ
６４ｈ  地区別監査結果データ
６５ａ  特殊景品状況管理部
６５ｂ  景品状況集計部
６５ｃ  買取状況集計部
６５ｄ  手数料設定処理部
６５ｅ  景品流通状況監査部
７０  景品管理装置
７１  表示操作部
７２  カードリーダライタ
７３  バーコードリーダ
７６ａ  景品マスタ
７６ｂ  遊技媒体データ
７６ｃ  交換済景品データ
７７ａ  遊技媒体管理部
７７ｂ  景品交換指示部
７７ｃ  交換済景品データ送信部
８０  遊技店ＰＣ
９０  景品払出機
９１  景品貯留部
９３  景品払出部
９５ａ  払出景品指示データ
９５ｂ  払出済景品データ
９６ａ  払出指示受付部
９６ｂ  景品投出制御部
９６ｃ  払出応答送信部
１３６ｆ  特殊景品ステータス照会部
【図１】
2015029784.tif 000003
【図２】
2015029784.tif 000004
【図３】
2015029784.tif 000005
【図４】
2015029784.tif 000006
【図５】
2015029784.tif 000007
【図６】
2015029784.tif 000008
【図７】
2015029784.tif 000009
【図８】
2015029784.tif 000010
【図９】
2015029784.tif 000011
【図１０】
2015029784.tif 000012
【図１１】
2015029784.tif 000013
【図１２】
2015029784.tif 000014
【図１３】
2015029784.tif 000015
【図１４】
2015029784.tif 000016
【図１５】
2015029784.tif 000017
【図１６】
2015029784.tif 000018
【図１７】
2015029784.tif 000019
【図１８】
2015029784.tif 000020
【図１９】
2015029784.tif 000021
【図２０】
2015029784.tif 000022
【図２１】
2015029784.tif 000023
【図２２】
2015029784.tif 000024
【図２３】
2015029784.tif 000025